(57)【要約】  釣り糸に取付け可能で、その後糸に沿って摺動しながら元に戻せるように外れ可能な新規の魚信インジケーターと糸停止部材を提供する。また、対応する端面の開口を備える、軸線方向チャネルを持つ浮力のある本体と、本体表面にある糸保持部材用の座(6)と、座に受入れられ且つ保持され、その間を通る糸(2)を２箇所で保持するために座(6)と共に働く、少なくとも１つの糸保持部材(4)を含む。保持部材は、十分な糸の張力によって座(6)から移動でき、これにより摺動可能な魚信インジケーターが外れる。また、ユーザーが選択可能な糸の位置で取付け可能で、取付けるためあるいは、取外された摺動可能な魚信インジケーターの摺動できる範囲を定めるために働く少なくとも１つの糸停止部材(18)を含む。釣り竿の全長より大きい深さで、摺動可能な元に戻せるように外れ可能なインジケーターを用いる、釣りのための新規の方法が提示される。
2008546418.tif 000002
【特許請求の範囲】
【請求項１】
元に戻せるように外れ可能な魚信インジケーターであって、
浮力のある本体部分を有し、この本体部分は、外面と、第１の本体端部と、第２の本体端部と、第１の本体端部と第２の本体端部との間の軸線方向チャネルと、を有し、前記軸線方向チャネルは、第１の本体端部の端面の開口と第２の本体端部の端面の開口を有すると共に、操作中、前記軸線方向チャネルを貫く釣り糸の摺動可能な通行を十分可能にし、
更に、糸保持部材と、本体部分の外面の周囲に配置された糸保持部材用の座と、を有し、
前記糸保持部材用の座は、前記糸保持部材を元に戻せるように受入れ可能であり且つ保持可能であり、前記糸保持部材は、前記糸保持部材用の座と共に、前記２つの開口の間を通行する釣り糸を２箇所で保持するように作用し、
釣り糸に十分な張力が働くとき、前記糸保持部材は、釣り糸の作用により前記糸保持用部材の座から外れ可能であり、それにより、前記魚信インジケーターを外して、釣り糸の上で摺動できるようにする、魚信インジケーター。
【請求項２】
前記糸保持部材用の座は、前記第１の本体端部の端面の開口及び前記第２の本体端部の端面の開口が前記糸保持部材用の座の両側に配置されるように、前記軸線方向チャネルの軸線を取囲む、請求項１に記載の魚信インジケーター。
【請求項３】
前記糸保持部材用の座は、連続の溝又は非連続の溝である、請求項２に記載の魚信インジケーター。
【請求項４】
前記糸保持部材用の座は、前記本体部分の外面から少なくともある程度突出した連続の隆起部又は非連続の隆起部である、請求項２に記載の魚信インジケーター。
【請求項５】
前記本体チャネルの軸線は、前記糸保持部材用の座によって定められる平面と９０度よりも小さい角度で交差する、請求項１に記載の魚信インジケーター。
【請求項６】
前記第１の本体端部又は前記第２の本体端部のところにおける前記本体チャネルの軸線と、前記糸保持部材用の座によって定められる平面との間の角度は、約３０度よりも小さく約２度よりも大きい、又は、約２０度よりも小さく約５度よりも大きい、又は、約１５度よりも小さく約７度より大きい、請求項１に記載の魚信インジケーター。
【請求項７】
前記第１本体端面の開口及び前記第２の本体端面の開口から前記糸保持部材用の座までの最短距離は、両方向において同じ又は実質的に同じである、請求項１に記載の魚信インジケーター。
【請求項８】
前記糸保持部材は、前記糸保持部材用の座から少なくともある程度突出する、請求項１に記載の魚信インジケーター。
【請求項９】
前記糸保持部材は、その断面の幅の約２分の１を超えない距離まで、前記糸保持部材用の座によって受入れられる、請求項１に記載の魚信インジケーター。
【請求項１０】
前記糸保持部材は、前記糸保持部材用の座によって保持されている間、引張り弾性応力下にある、請求項１に記載の魚信インジケーター。
【請求項１１】
前記糸保持部材は、環状の弾性バンドの形態をなし、又は、Ｏリングである、請求項１０に記載の魚信インジケーター。
【請求項１２】
前記糸保持部材用の座は、前記本体表面の周囲において連続している、請求項１に記載の魚信インジケーター。
【請求項１３】
前記本体は、実質的に卵形又は楕円形であり、前記糸保持部材用の座は、実質的に楕円形又は円形である、請求項１に記載の魚信インジケーター。
【請求項１４】
更に、前記本体のチャネルの中を延びる釣り糸、鉤素、又はティペット部分を有し、釣り糸、鉤素、又はティペット部分は、前記糸保持部材用の座と前記糸保持部材によって、前記糸に沿った２箇所で前記本体に元に戻せるように取付けられ、
操作中、十分な張力を前記糸に適用したとき、前記糸保持部材は、前記糸保持部材用の座から移動可能であり、それにより、前記糸に沿って摺動可能に前記本体を取外す、請求項１に記載の魚信インジケーター。
【請求項１５】
更に、前記本体のチャネルの中を延びる釣り糸、鉤素、又はティペット部分を有し、釣り糸、鉤素、又はティペット部分は、両端部の開口のところで現れた後、そこから反対方向に前記糸保持部材と前記糸保持部材用の座との間を進み、
前記魚信インジケーターは、糸に沿った２箇所において元に戻せるように保持され、
操作中、十分な張力を前記糸に適用したとき、前記糸保持部材は、前記糸保持部材用の座から移動可能であり、それにより、前記糸に沿って摺動可能に前記本体を取外す、請求項２に記載の魚信インジケーター。
【請求項１６】
元に戻せるように外れ可能な魚信インジケーターシステムであって、
浮力のある本体部分を有し、この本体部分は、外面と、第１の本体端部と、第２の本体端部と、第１の本体端部と第２の本体端部との間の軸線方向チャネルと、を有し、前記軸線方向チャネルは、第１の本体端面の開口と第２の本体端面の開口とを有すると共に、操作中に前記軸線方向チャネルの中を通る釣り糸の摺動可能な通行を十分に可能にし、
更に、糸保持部材と、本体表面の周囲に配置された糸保持部材用の座と、を有し、
前記糸保持部材用の座は、前記糸保持部材を後で解放できるように受入れ可能であり且つ保持可能であり、前記糸保持部材は、前記糸保持部材用の座と共に、前記開口の間を通行する釣り糸を２箇所で保持するように作用し、
更に、釣り糸に取付け可能な少なくとも１つの糸停止部材を有し、
前記糸停止部材は、外面と、第１の停止部材端部と、第２の停止部材端部と、第１の停止部材端部と第２の停止部材端部との間の軸線方向停止部材チャネルと、を有し、前記停止部材チャネルは、第１の停止部材端面の開口及び第２の停止部材端面の開口を有し、
前記糸停止部材は、前記本体の軸線方向チャネルに元に戻せるように受入れられ、前記本体のチャネル内の前記糸停止部材に元に戻せるように係合するように作用する、魚信インジケーターシステム。
【請求項１７】
前記糸保持部材用の座は、前記第１本体端面の開口及び前記第２の本体端面の開口が前記座の両側に配置されるように、前記チャネルの軸線を取囲む、請求項１６に記載の魚信インジケーターシステム。
【請求項１８】
前記糸保持部材用の座は、連続の又は非連続の溝である、請求項１７に記載の魚信インジケーターシステム。
【請求項１９】
前記糸保持部材用の座は、前記本体表面から少なくともある程度突出した、連続の又は非連続の隆起部である、請求項１７に記載の魚信インジケーターシステム。
【請求項２０】
前記第１の停止部材端部と前記第２の停止部材端部との間の距離は、前記第１の本体端部と前記第２の本体端部との間の距離の約２分の１よりも小さい、請求項１６に記載の魚信インジケーターシステム。
【請求項２１】
更に、前記本体の両側の端部のところで受入れ可能な２つの糸停止部材を含む、請求項１６に記載の魚信インジケーターシステム。
【請求項２２】
前記本体チャネルの軸線は、前記糸保持部材用の座によって定められる平面と９０度よりも小さい角度で交差する、請求項１６に記載の魚信インジケーターシステム。
【請求項２３】
前記第１の本体端部又は前記第２の本体端部のところにおける前記本体チャネルの軸線と、前記糸保持部材用の座によって定められる平面との間の角度は、約３０度よりも小さく約２度よりも大きい、又は、約２０度よりも小さく約５度よりも大きい、又は、約１５度よりも小さく約７度より大きい、請求項１６に記載の魚信インジケーターシステム。
【請求項２４】
前記第１本体端面の開口及び前記第２の本体端面の開口から前記糸保持部材用の座までの最短距離は、両方向において同じ又は実質的に同じである、請求項１６に記載の魚信インジケーターシステム。
【請求項２５】
前記糸保持部材は、前記糸保持部材用の座から少なくともある程度突出する、請求項１６に記載の魚信インジケーターシステム。
【請求項２６】
前記糸保持部材は、その断面の幅の約２分の１を超えない距離まで、前記糸保持部材用の座によって受入れられる、請求項１６に記載の魚信インジケーターシステム。
【請求項２７】
前記糸保持部材は、前記糸保持部材用の座によって保持されている間、引張り弾性応力下にある、請求項１６に記載の魚信インジケーターシステム。
【請求項２８】
前記糸保持部材は、環状の弾性バンドの形態をなし、又は、Ｏリングである、請求項２７に記載の魚信インジケーターシステム。
【請求項２９】
前記糸保持部材用の座は、前記本体表面の周囲において連続している、請求項１６に記載の魚信インジケーターシステム。
【請求項３０】
前記本体は、実質的に卵形又は楕円形であり、前記糸保持部材用の座は、実質的に楕円形又は円形である、請求項１６に記載の魚信インジケーターシステム。
【請求項３１】
更に、前記本体のチャネルの中を延びる釣り糸、鉤素、又はティペット部分を有し、釣り糸、鉤素、又はティペット部分は、前記糸保持部材用の座と前記糸保持部材によって、前記糸に沿った２箇所で前記本体に元に戻せるように取付けられ、
操作中、十分な張力を前記糸に適用したとき、前記糸保持部材は、前記糸保持部材用の座から移動可能であり、それにより、外れた前記本体は、前記少なくとも１つの糸停止部材の取付け位置まで摺動可能である、請求項１６に記載の魚信インジケーターシステム。
【請求項３２】
更に、前記本体のチャネルの中を延びる釣り糸、鉤素、又はティペット部分を有し、釣り糸、鉤素、又はティペット部分は、両端部の開口のところで現れた後、そこから反対方向に前記糸保持部材と前記糸保持部材用の座との間を進み、
前記魚信インジケーターは、前記糸に沿った２箇所で元に戻せるように保持され、
操作中、十分な張力を前記糸に適用したとき、前記糸保持部材は、前記糸保持部材用の座から移動可能であり、それにより、前記少なくとも１つの糸停止部材の取付け位置まで摺動可能に前記本体を取外す、請求項１７に記載の魚信インジケーターシステム。
【請求項３３】
第１の糸停止部材及び第２の糸停止部材を有し、
更に、前記本体のチャネルとそこに取付けられた前記第１の停止部材のチャネルを貫通する釣り糸、鉤素、又はティペット部分を有し、
釣り糸は、前記保持部材及び前記糸保持部材用の座を用いて、前記釣り糸に沿った２箇所で前記本体によって元に戻せるように保持され、釣り糸に十分な張力が働いたとき、操作中に前記保持部材が前記糸保持部材用の座から外れることが可能であり、それにより、外れた前記本体は、前記第１の糸停止部材の側と反対の前記魚信インジケーターの側において、前記糸に沿って前記第１の糸停止部材から一定の距離のところに位置決めされた前記第２の糸停止部材の取付け位置まで摺動可能である、請求項１６に記載の魚信インジケーターシステム。
【請求項３４】
第１及び第２の糸停止部材を有し、
前記本体のチャネルとそこに取付けられた前記第１の糸停止部材のチャネルを貫通して延びる釣り糸、鉤素、又はティペット部分を更に有し、
釣り糸は、２つの両側の本体端開口に現れた後、そこから前記糸保持部材と前記糸保持部材用の座の間を反対方向に延び、それにより、前記本体は前記糸に沿って２箇所で元に戻せるように保持され、釣り糸に十分な張力が働いたとき、操作中に前記保持部材が前記糸保持部材用の座から外れることが可能であり、それにより、外れた前記本体は、前記第１の糸停止部材の側と反対の前記魚信インジケーターの側において、前記糸に沿って前記第１の糸停止部材から一定の距離のところに位置決めされた前記第２の糸停止部材の取付け位置まで摺動可能である、請求項１６に記載の魚信インジケーターシステム。
【請求項３５】
釣り糸のための外れ可能な魚信インジケーターシステムであって、
釣り糸、鉤素、又はティペット部分と、
前記釣り糸、鉤素、又はティペット部分に取付け可能であり、それから外れ可能であり、外れた後それに沿って摺動可能である、浮力のある外れ可能な魚信インジケーターと、
操作中、前記釣り糸、鉤素、又はティペット部分に沿ってユーザーが選択可能な位置に取付け可能であり、操作中、外れた魚信インジケーターの前記釣り糸、鉤素、又はティペット部分に沿った摺動を制限するのに十分である、少なくとも１つの魚信インジケーター停止部材と、を有する魚信インジケーターシステム。
【請求項３６】
前記釣り糸、鉤素、又はティペット部分に沿ってユーザーが選択可能な異なる位置に取付け可能であり、前記魚信インジケーターシステムの操作中、外れて摺動可能な魚信インジケーターの前記釣り糸、鉤素、又はティペット部分に沿った摺動可能な範囲を定めるのに適している、第１及び第２の取付け可能な魚信インジケーター停止部材を有する、請求項３５に記載の魚信インジケーターシステム。
【請求項３７】
操作中、前記魚信インジケーターは、第１の糸位置で取付けられた前記第１の糸停止部材と係合して前記糸に取付け可能であり、外れたとき、外れた魚信インジケーターは、その後、前記釣り糸、鉤素、又はティペット部分に沿って前記第１の糸停止部材と前記第２の糸停止部材との間を摺動可能である、請求項３６に記載の魚信インジケーターシステム。
【請求項３８】
前記魚信インジケーターは、操作中に糸に十分な張力が働くことによって外れ可能である、請求項３５に記載の魚信インジケーターシステム。
【請求項３９】
外れ可能であり且つ摺動可能な魚信インジケーターを用いて釣竿のおおよその長さよりも大きい設置深さで釣りをする方法であって、
釣り竿と操作可能に結合した釣り糸を得る工程を有し、前記釣り糸は、釣り竿の糸ガイドを通って、釣り竿の先端部から釣り針まで延び、前記釣り竿に取付けられた糸回収手段によって回収であり、延びている釣り糸の部分は、釣り針近位部分と釣り針遠位部分とを有し、
延びている釣り糸の部分に第１及び第２の魚信インジケーター停止部材を取付ける工程を有し、前記第１の魚信インジケーター停止部材は、所望の釣り深さに対応するようにユーザーが選択し且つ釣り針から遠位の第１の糸停止位置に取付けられ、前記第２の魚信インジケーター停止部材は、釣り針部分から釣り竿のおよその長さの距離に対応し且つ釣り針から近位の第２の糸停止位置に取付けられ、前記第１及び第２の糸停止部材は、外れ可能であり且つ摺動可能であり且つ浮力の有する魚信インジケーターに受入れられ、それに係合してその摺動可能な移動を制限するように作用し、
外れ可能あり且つ摺動可能な魚信インジケーターを、前記第１の糸停止部材と前記第２の糸停止部材との間の位置で釣り針から遠位の前記第１の糸停止部材に係合させて取付ける工程を有し、前記魚信インジケーターは、釣り糸に元に戻せるように取付けられ、釣り糸から外れ可能であり、外れた後は釣り糸に沿って前記第１の糸停止部材と前記第２の糸停止部材との間を摺動可能であり、前記魚信インジケーターは、糸に十分な張力が働くことによって外れ可能であり、
釣り針を魚にかけることによって、前記魚信インジケーターを外す工程を有し、
延びている釣り糸を、前記第２の糸停止部材のおよその位置に対応する糸の位置まで回収する工程を有し、釣り竿のおおよその長さより大きい設定深さで釣りをすることが少なくともある程度可能である、方法。
【請求項４０】
前記糸保持部材用の座の深さは、前記本体端部又はその近くにおいて、前記本体の中心又はその近くよりも大きい、請求項１〜３８の何れか１項に記載の魚信インジケーター。
【請求項４１】
前記糸保持部材用の座の深さは、前記本体端部又はその近くで比較的大きく、前記本体中又はその近くにおける比較的浅い深さまでテーパする、請求項１〜３８の何れか１項に記載の魚信インジケーター。
【請求項４２】
前記本体部分のチャネルの軸線は、前記本体部分の真の中心軸線と一致する、請求項１〜３８の何れか１項に記載の魚信インジケーター。
【請求項４３】
前記本体部分のチャネルの軸線は、前記本体部分の真の中心軸線と一致しない、請求項１〜３８の何れか１項に記載の魚信インジケーター。
【請求項４４】
前記本体部分のチャネルの軸線は、前記本体部分の真の中心軸に対して、少なくとも１つのチャネル端部でオフセットされ且つ／又は角度をなすようにオフセットされる、請求項１〜３８の何れか１項に記載の魚信インジケーター。
【請求項４５】
元に戻せるように外れ可能な糸停止部材であって、
細長い糸留め部材を有し、この糸留め部材は、その一方の端部に、少なくとも一対の糸留めアームを有し、その他方の端部に、カラー取付け保持部分を有し、前記糸留めアームは各々、カラー停止フランジを有し、前記カラー取付け保持部分は、間隔のあいた複数のカラー取付け保持アームを有し、前記カラー取付け保持アームの各々は、保持アームカラー停止フランジを有し、前記細長い糸留め部材は、長手軸線方向のボア又はチャネルを有し、このボア又はチャネルは、その中を通る糸の摺動可能な通行を可能にするのに適し、
円筒形の係合カラーを有し、この係合カラーは、それを貫通するカラーチャネルを有し、前記糸留め部材に沿って摺動可能に位置決め可能であり、前記係合カラーは、前記糸留めアームとの作用により、前記糸留め部材を糸留め位置又は糸係合位置で元に戻せるように保持して糸に係合させるように位置決め可能であると共に、前記糸留め部材を前記糸留め位置から操作上及び元に戻せるように外して糸を元に戻せるように外す糸取外し位置で位置決め可能であり、
前記少なくとも一対の糸留めアームと前記カラー取付け保持部分との間に配置される係合カラー位置決め部分を有し、前記係合カラー位置決め部分は、前記係合カラーを前記糸留め部材の上に元に戻せるように位置決めする手段を有し、前記係合カラーは、それが前記糸留めアームと作動的に結合しているときに前記糸係合位置に位置決めされ、前記係合カラーが前記糸留めアームと作動的に結合することが妨げられるときに前記糸外れ位置に位置決めされる、糸停止部材。
【請求項４６】
前記係合カラー位置決め部分は、圧縮可能な部分を有し、この圧縮可能部分は、非圧縮状態において、前記係合カラーチャネルの直径よりも大きい外径を有し、それにより、前記係合カラー位置決め部分は、前記カラーを前記糸係合位置と前記糸外れ位置の間に再配置するために圧縮されなければならない、請求項４５に記載の糸停止部材。
【請求項４７】
前記糸取付け部分と前記糸取外し部分の間で、前記係合カラー位置決め部分は、前記係合カラーチャネル内に位置するねじ山手段と相補的なねじ山手段を有し、それにより、前記係合カラー位置決め部分は、前記係合カラーを前記係合カラー位置決め部分の上で前記糸係合位置と前記糸外れ位置との間でねじ込むことによって、係合させられなければならない、請求項４５に記載の糸停止部材。
【請求項４８】
前記少なくとも１つの糸停止部材は、請求項４５〜４７の何れか１項に記載のものである、請求項１６〜３８の何れか１項に記載の魚信インジケーターシステム。
【発明の詳細な説明】
【技術分野】
【０００１】
本発明の側面は、一般的に釣り糸用の魚信インジケーター、及びそれを用いる方法に関し、特に、付随する糸に十分な張力が働いた際に、新規の手段によって係合したり外れたりし（例えば、魚信作動により外れ）、その後、付随する釣り糸に沿って、特定の側面においては２つの設定可能な位置の間（例えば、釣り針から遠位の魚信インジケーター停止部材位置と近位の魚信インジケーター停止部材位置との間）を摺動可能な、元に戻せるように外すことができる新規の魚信インジケーターに関する。追加的な側面は、元に戻せるように取付け可能で、これにより糸の位置を固定又は区分するために、又は糸の全長に沿って長さ（例えば、摺動可能な調整長さ）を区分するために調整できる、可逆的に外れる新規の糸停止部材に関する。さらなる側面は、先述のものを含むシステムと方法に関する。
【０００２】
本願は、２００５年６月２４日に出願された米国特許出願第１１／１６５，６６０号「ＲＥＶＥＲＳＩＢＬＹ  ＤＩＳＥＮＧＡＧＩＮＧ  ＳＬＩＤＡＢＬＥ  ＳＴＲＩＫＥ  ＩＮＤＩＣＡＴＯＲ，ＰＯＳＩＴＩＯＮＩＮＧ  ＳＹＳＴＥＭ，ＡＮＤ  ＭＥＴＨＯＤ  ＯＦ  ＵＳＩＮＧ  ＳＡＭＥ」と、２００６年６月２４日に出願された米国特許出願第６０／＿＿＿＿号「ＣＯＭＰＯＳＩＴＩＯＮＳ  ＡＮＤ  ＭＥＴＨＯＤＳ  ＦＯＲ  ＥＮＧＡＧＩＮＧ  ＬＩＮＥＳ」の優先権を主張するものであり、両方の全体を本明細書に援用する。
【背景技術】
【０００３】
フライフィッシングや非フライフィッシングを含む、釣りのための魚信インジケーターは当技術分野で知られている。一般的には、魚信インジケーターは浮力のある素材から成り、十分に大きく、及び／又はインジケーターを観察している釣り人によって操作上の距離で見えるように、適切な特徴（例えば、色、蛍光性など）を持つ。浮力のある魚信インジケーターは操作中、釣り糸に取付けられるように、またこれにより釣り針部材と魚信インジケーター取付け位置の間の糸の全長に対応する水面下の距離で、その端に取付けられた１つ以上の釣り針又は部材を用いて、糸を吊り下げるように機能するよう設計される。吊り下げられた釣り針に魚が食いつくと、魚信インジケーターはそれに従って水面上で位置を変え、これにより一般的には適切な竿／糸の動きを用いて釣り針を魚に「かけること」によって反応するように、釣り人に合図を送る。従って、そのような魚信インジケーターは魚信インジケーターとして機能し、また特定の例では釣り深さ位置決め手段として機能してもよい。
【０００４】
操作上見えるようにするため、魚信インジケーターは一般的には釣り竿の糸「ガイド」より大きく（特にフライ用竿のガイド、これは比較的小さい）、一般的には釣り糸に沿って固定された位置に取付けられる。従って、釣り人の介入と取付けられたインジケーターの除去なしに取付けられた糸を釣り竿のガイドを通して回収できるのは、魚信インジケーターの取付け位置までである。魚信インジケーター取付け位置から釣り針までの糸の全長は、竿の全長より短いか、おおむね同等であり、釣り人による効果的な捕獲のために十分に近い位置まで針にかかった魚を誘導できるように、糸の十分な回収を可能にするので、一部の釣りの状況ではこの糸の回収の制限は問題とならないかもしれない。しかし、従来技術の魚信インジケーターに起因する糸の回収の問題は、多くの状況、竿の全長のそれを著しく超える深さで、魚信インジケーターから糸上に吊るされた釣り針を用いた釣りが関与する、特に低姿勢の不自然な状況（例えば、船釣り又はフロートチューブ釣り）において重大である。具体的には、釣り深さが竿の全長を超える場合、魚信インジケーター取付け位置を越えて糸を回収できず（魚信インジケーターは糸のガイドを通り抜けられない）、竿の先端から針にかかった魚までの距離は、竿の全長よりはるかに大きい可能性があり、低姿勢及び／又は不自然な釣りの状況での魚の捕獲を不可能ではないにしても難しくしている。この大きな制限は、与えられた時間内で、魚の取り逃がしによって捕獲できる魚の数を減少させるだけでなく、多くの場合最善とはいえない捕獲コンディション（釣り針にかかった魚が竿の先端から遠すぎる）によって針にかかった魚を負傷させる結果となる。当技術分野では位置を変えられる魚信インジケーターが知られているが、そのような位置変えは、一般的には釣り人が行い、詳しく言えば、ひとたび魚が針にかかり、釣り人と魚が興奮状態で操作に携わっていると、効果的に行えない。
【０００５】
より容易に摺動可能な魚信インジケーターを提供するための既知の手法の１つは、調整可能なＦｒｏｇ  Ｈａｉｒ（登録商標）ＥＺ−ＯＮ  インジケーター（Ｇａｍｍａ  Ｔｅｃｈｎｏｌｏｇｉｅｓ社、ペンシルバニア州ピッツバーグ）であり、これは「ティペット（ｔｉｐｐｅｔ）」材の全長に沿って摺動させることによって手動で調整できるように設計されている。この手法は、浮力のあるインジケーター本体の軸方向の孔の対向する端部で、又はその内部に保持される、２つの弾性位置決め固定器具を通って、糸の「ティッペット」を連続的に挿入する工程に基づいている（図９参照）。弾性の固定器具は、その位置を維持するために鉤素に対して十分な保持圧力を提供しながら、インジケーターが鉤素に沿って強制的に位置を変えられるようにする。しかし、弾性の位置決め固定器具の性質のため、それらは磨耗し再利用できず、鉤素からの除去後は、（少なくとも新しい固定器具を手に入れて、ティッペットを特別なワイヤーループ糸通し器具を用いて通さないことには）インジケーターを再び取付けることができないため、このシステムは大きな欠点を持っている。更に、摺動させて調整できる一方で、これらのインジケーターは素早くリリースできず、そのような調整は釣り人によってかけられる大きな力によるもので、また魚と釣り人が活発に忙しくしている時、魚の「かかり」の際に、例えば、インジケーターの実用的な位置変えを可能にできない。更に、弾性の位置決め固定器具は、一般的に使用されているほとんどの鉤素に見られる結び（例えば「筒形」結び）を越えられず、たとえもし越えられたとしても、それらの保持特性は低下し、これにより短期間でインジケーターを効果的に使えなくする。
【０００６】
リリース可能で摺動可能な魚信インジケーターを提供する既知の手法は、クイックリリースインジケーター（Ｗａｔｅｒｓ  Ｗｅｓｔ社、ワシントン州ポートエンジェルス）であり、魚の「針へのかかり」に反応してリリースするように設計されている。この手法は、発泡剤ベースの（スタイロフォーム（登録商標）ベースの）インジケーターの軸と黒いプラスチックのストッパーの内径を通って糸の「ティッペット」を連続的に挿入し、インジケーターとストッパーの間の位置のティッペットにティッペットループを作成し、ティッペットループの一部分をインジケーターのストッパー受容スロットに押し込み、ストッパー受容スロットにストッパーを挿入し、これにより、インジケーターとストッパーの組み合わせを糸のティッペットに元に戻せるように取付けるために、押し込まれたティッペット部を受容スロットの壁とストッパーの間に圧力によって押し込む工程に基づいている（図８Ａと８Ｂ参照）。魚が針に「かかる」と、糸の張力は増して押し込まれたループを解放し、その後インジケーターとストッパーが釣り糸に沿って自由に摺動できるようにする。しかし、この解決法には大きな欠点があり、これには、先端ループ繰り返しの使用の際に、「かかり」においてリリースを誘発するための正しい量の張力を提供するために、ティッペットループを再現性のある量の力で一定に押し込むのが、不可能ではないにしても難しいという事実が含まれる。これは、たとえもしある人がストッパーを一定の力でインジケーターの受容スロットに挿入できたとしても、これにより押し込まれるティッペットループの量はその時々で変化し、より問題が多いことには、ループを効果的に押し込むために必要な力の量は、ループ材料が、受容スロットの壁を劣化（例えば、変形、えぐれなど）させるのに十分であり、インジケーターシステムの一貫性がなく、進行性に低下する性能の原因となることによる。更に、設定された深さでの再現性の高い釣りを可能にするために、一回の「かかり」から別の、設定された糸の位置でインジケーターを再取付けする措置はなく、摺動可能な幅を制限する対策はない（釣り針と釣り竿の糸ガイドを除いて）。更に、不用意なリリースの発生を排除するために十分な抵抗を与えるために、ストッパーとティペットループの表面領域を受容スロットの壁に対して十分に押し込む必要性があるため、ストッパーと受容スロットは十分な大きさでなければならず、これにより最小の大きさが定められる（例えば、直径で約１／２インチ〜約３／８インチ未満のインジケーターは市販されていない）。更に、ストッパーの大きな形とインジケーター／ストッパーの組み合わせの非対照のデザインは、糸のからまり特性に関しては望ましいとはいえない。
【発明の開示】
【発明が解決しようとする課題】
【０００７】
従って、当分野では、付随する糸又は鉤素から、より容易にまた常に外すことが可能で、十分に再利用できる魚信インジケーターへの顕著な需要がある。当分野では、直接的な接触又は釣り人の介在以外によって外れ可能な魚信インジケーターへの顕著な需要がある。当分野では、より容易にまた常に外すことが可能で、その後釣り糸に沿って容易に摺動可能な魚信インジケーターへの顕著な需要がある。当分野では、釣り糸及び／又は鉤素に沿ってユーザーが選択できる定められた範囲内で、釣り糸に沿って摺動可能な、魚信インジケーターシステムへの顕著な需要がある。当分野では、竿の全長より著しく大きい深さで、魚信インジケーターを用いてより効果的で再現性の高い釣りを可能にする、魚信インジケーターシステムへの顕著な需要がある。
【課題を解決するための手段】
【０００８】
本発明の特定の側面は、釣り糸（例えば、フライフィッシング用糸及び／又は鉤素）に取付け可能であり、糸に十分な張力が働いたときに解放可能な新規の保持手段によって釣り糸から外す（例えば、魚信によって作動して外れる）ことが可能である、新規の魚信インジケーターを提供する。追加的な側面では、魚信インジケーターは、元に戻せるように外れ可能であり、それにより、釣り糸に沿って摺動式に調整可能であり且つ位置決め可能であり、ユーザーが選択可能な停止位置部材によって定められる範囲内で再位置決め可能である。
【０００９】
特定の側面では、本発明の外れ可能な魚信インジケーターは、浮力のある本体部分を有し、この本体部分は、外面と、第１の本体端部と、第２の本体端部と、第１の本体端部と第２の本体端部との間の軸線方向チャネルと、を有し、軸線方向チャネルは、第１の本体端部の端面の開口と第２の本体端部の端面の開口を有すると共に、軸線方向チャネルを貫く釣り糸の摺動可能な通行を十分順応する。外側の糸保持部材用の座（例えば、側面と底面を持つ本体内の溝、又は側面と上面を持つ本体表面から突出する隆起）があり、糸保持部材用の座は、本体の外面の周囲を延びている。好適な実施形態では、第１の本体端部の端面の開口と第２の本体端部の端面の開口は、溝又は隆起の対向する面上に配置されるように、溝又は隆起はチャネルの軸を取囲む。変形の実施形態では、糸保持部材用の座（例えば、溝又は隆起）は、本体の外面を走っているが、第１及び第２の端面の開口が、好適な実施形態のように対向する面上にある代わりに、溝又は隆起の同じ面に配置されるように、これによってチャネルの軸を取囲まない。糸保持部材用の座によって元に戻せるように受入れ可能であり且つ保持可能であるように（例えば、溝内又は隆起上に受入れできる）、適した形状と大きさを持つ弾性のある環状の糸保持部材は、その間を通る釣り糸を２箇所で保持するために座を用いて働く。十分な糸の張力を適用した際に、弾性のある部材は溝又は隆起から移動され、これにより魚信インジケーターを取外し、その後釣り糸に沿って魚信インジケーターの本体軸線方向チャネルが摺動できるようにする。
【００１０】
追加的な側面は、釣り糸（例えば、フライフィッシング用糸及び／又は鉤素）用の新規の魚信インジケーターシステムを提供し、システムは、操作中、釣り糸及び／又は鉤素から取外しが可能で、その後それらに沿って摺動可能な外れ可能な釣り糸魚信インジケーター、釣り糸又は鉤素に取付け可能で、操作中、取外された魚信インジケーターの摺動可能な移動を制限するのに十分な、少なくとも１つの魚信インジケーター停止部材を含む。特定の実施形態では、システムは、システムの操作中に、取外された摺動可能な魚信インジケーターの、釣り糸及び／又は鉤素に沿った、摺動可能な範囲を定めるのに適する、２つの取付け可能な魚信インジケーター停止部材を含む。追加的な実施形態では、システムは、外れ可能な魚信インジケーターと少なくとも１つの魚信インジケーター停止部材の取付け用の釣り糸を更に含む。
【００１１】
さらなる側面は、釣り糸及び／又は鉤素と、釣り糸及び／又は鉤素に元に戻せるように取付け可能で、それらから外れ可能で、その後それらに沿って摺動可能な、浮力のある外れ可能な釣り糸魚信インジケーターと、釣り糸に沿ってユーザーが選択可能な位置に取付け可能で、操作中、取外された魚信インジケーターの釣り糸に沿った摺動可能な移動を制限するのに十分な、少なくとも１つの魚信インジケーター停止部材とを含む、魚信インジケーターシステムを用いた釣りの方法（あらゆる水と釣りの種類、例えば海水、淡水、川、湖、マス、サケ、バス、アミキリなど）を提供する。特定の実施形態では、この方法は、釣り糸及び／又は鉤素に沿ってユーザーが選択した異なる位置に取付けられ、システムの操作中に、摺動可能な魚信インジケーターの釣り糸に沿った摺動可能な範囲を制限するのに適している、第１及び第２の取付け可能な魚信インジケーター停止部材を含むシステムを用いて実施されている。特定の側面では、本発明による外れ可能な魚信インジケーターは、第１の固定された糸の位置で、第１の糸停止部材と連携して糸に取付けられ、取外しの際には、取外された魚信インジケーターはその後、第１及び第２の糸停止部材の間を釣り糸に沿って摺動でき、これは例えば、竿の全長より大きい深さで魚信インジケーターを用いる実用的で効果的な釣りを可能にする。
【００１２】
追加的な側面は、取付け位置で調整可能に、また糸（釣り糸、ロープ、ひも、ケーブル、ワイヤー、コードなどを含むがこれに限定されない）を元に戻せるように取付けるための、及び／又は糸に沿った１つ以上の位置及び／又は長さを定めるための、新規の糸停止部材器具と方法を提供する。発明された糸停止部材は、元に戻せるように外れ可能（又は元に戻せるように取付け可能）であり、これにより糸に沿って摺動しながら調整して位置決めでき、そのような２つの糸停止部材をその間のユーザーが選択可能な範囲又は長さを定めるために使用できる。
【００１３】
さらなる側面は、魚の食いによって外れ可能な又は外れ可能ではない魚信インジケーターに加えて、 釣り糸に沿った、取外された魚信インジケーターの摺動可能な移動を制限するために、釣り糸に沿ってユーザーが選択した固定位置に取付け可能で、 発明された魚信インジケーター本体と係合可能であり、魚の食いによって外れ可能ではない魚信インジケーター（例えば、効果的に固定された魚信インジケーター）を提供するために、特定の発明された魚信インジケーターの実施形態の、内部係合カラーと追加的に又は代替的に固定的に係合可能な、少なくとも１つの「元に戻せるように外れ可能な魚信インジケーター糸停止部材」（例えば、本書内で下記に記載する）を含む、新規の外れ可能な魚信インジケーターシステムを提供する。
【００１４】
好適な実施形態では、特定の「二重用途の」（内部係合カラーを持つ）発明された魚信インジケーターの本体を、魚の食いで外れ可能な（魚信インジケーター本体の糸保持部材用の座中で糸保持部材を用いる）、又は外すことが可能ではない（糸保持部材を用いず、代替的に内部係合カラーを用いて発明された元に戻せるように取付け可能な糸停止部材と固定して取付ける）魚信インジケーターとして、２つの用途に使用できる。
【００１５】
さらなる側面は、発明された魚の食いで外れ可能な、又は発明された元に戻せるように外れ可能な魚信インジケーター糸停止部材（例えば、本書内で下記に記載するような）を備える、魚の食いで外すことが可能ではない魚信インジケーター、又は発明された魚信インジケーターシステムを用いる釣りを含む、釣りのための新規の方法を提供する。
【発明を実施するための最良の形態】
【００１６】
本発明の特定の側面は、新規の手段によって、ユーザーが選択した位置で釣り糸に取付け可能で、その位置からの取外しの際には、釣り糸に沿って摺動可能な、新規の外れ可能な魚信インジケーターを提供する。
【００１７】
追加的な側面は、外れ可能な魚信インジケーターに加えて、釣り糸に沿ってユーザーが選択した固定位置での取付けが可能で、釣り糸に沿って取外された魚信インジケーターの摺動可能な移動を制限するために、発明された魚信インジケーターの本体に取付け可能な、少なくとも１つの魚信インジケーター停止部材を含む、新規の外れ可能な魚信インジケーターシステムを提供する。
【００１８】
さらなる側面は、発明された外れ可能な魚信インジケーター、又は発明された魚信インジケーターシステムを用いた釣りを含む、釣りのための新規の方法を提供する。
【００１９】
またさらなる側面は、釣り竿の全長より深い深さで魚信インジケーターを用いる、効果的で効率的な釣りのための新規の方法を提供し、これは発明された外れ可能な魚信インジケーター、又は魚信インジケーターシステムを用いた釣りを含む。この方法は、釣り針にかかった魚の効率的な捕獲を容易にし、釣りの能率と総合的な釣り体験を高め、捕獲された魚の付随的な負傷を減少させる。
【００２０】
以下の考察では、本発明の特定の側面と実施形態、及びそれらのいくつかのバリエーションを詳細に説明する。この考察は、本発明を特定の実施形態又はそれらの特定のバリエーションへ制限するものとして解釈されるべきでない。対象の開示の範囲に包括される、数多くのほかの実施形態とバリエーションを当業者は同様に理解するであろう。
【００２１】
〔外れ可能な魚信インジケーター〕
図１、２、５Ａ、５Ｂ、６Ａ〜６Ｇ、１０Ａ、１０Ｂ、１１Ａ、１１Ｂ、１２Ａと１２Ｂ、１３Ａ〜Ｅ、１４、及び１５ＡとＢを参照すると、本発明の特定の実施形態は、釣り糸用の外れ可能な魚信インジケーター２８を対象としており、魚信インジケーター２８は、浮力のある本体部分１６を有し、本体部分１６は、外面１４と、第１及び第２の本体端部と、第１及び第２の本体端部の間の軸線方向チャネル１０を有し、軸線方向チャネル１０は、第１及び第２の本体端部に対応する第１及び第２の本体端面の開口８を有し、チャネル１０は、その中を釣り糸２が摺動可能に通過するように構成されている。本体１６は、その外面の糸保持部材用の座（例えば、溝、チャネル、隆起部など）を更に有し、本実施形態では、糸保持部材用の座は、外面１４に且つその周囲に設けられた溝６であり、この溝６は、側面と底面を有しており、本実施形態では、第１及び第２の端面の開口８が溝６の両側に配置されるように、溝６はチャネル１０の軸線を取囲む。変形の例示の実施形態では（図１０Ａと１１Ａ参照）、糸保持部材用の座は、本体表面１４から少なくともある程度突出する（例えば、丸みを帯びた形状の又は逆Ｖ字形状の）隆起部７を有する。特に変形の実施形態では（図１２Ａと１２Ｂ参照）、糸保持部材用の座（溝、隆起など）は、外面１４の周囲に配置されているが、第１及び第２の端面の開口８が糸保持部材用の座（例えば溝６）に対して同じ側に配置されるように、チャネル１０の軸線を取囲まない。図１２Ａと１２Ｂに示す実施形態は、とりわけ（追加的な保持手段がないとき）、好ましさが少なく、その理由は、糸保持部材４が外れた後に糸上に保持されないからである（下記参照）。図１と２の例示の外れ可能な魚信インジケーター２８は、弾力性の（例えば、弾性の、曲げやすい、しなやかな、可撓性のなど）糸保持部材４を更に有し、糸保持部材４は、それが糸保持部材用の座によって（例えば溝６内に又は隆起部７の上に（図１０Ａ、１０Ｂ、１１Ａ、１１Ｂ参照））元に戻せるように（外れるように）受入れられ且つ保持されることが可能である適切な形状（例えば、環状の）と大きさを有すると共に、糸保持部材用の座と共に作用して糸保持部材とその座との間を通過する釣り糸２を２箇所で十分に保持する適切な形状（例えば、環状の）と大きさを有している。例示の魚信インジケーター２８の特定の実施形態では（図１と図２参照）、本体チャネル１０の軸線は、糸保持部材用の座（例えば、外面の溝６）によって定められる平面と直角に交差する。しかしながら、好ましい実施形態では、本体チャネル１０の軸線は、環状の糸保持部材用の座（例えば外面の溝６）によって定められる平面と鋭角（すなわち、９０度未満）に交差する。好ましくは、一方の又は他方の本体端部８において、本体チャネル１０の軸線と糸保持部材用の座（例えば外面の溝６）によって定められる平面との間の角度は、１８０度〜０度、９０度〜０度、４５度〜０度、約９０度未満であり且つ約１度より大きい範囲、約９０度未満であり且つ約２度より大きい範囲、約４５度未満であり且つ約１度より大きい範囲、約３０度未満であり且つ約２度より大きい範囲、約２０度未満であり且つ約５度より大きい範囲、約１５度未満であり且つ約７度より大きい範囲、約２９度未満であり且つ約２５度より大きい範囲、約２８度、ならびに２８度から構成されるグループから選択される。好ましくは、一方の又は他方の本体端部８において、本体チャネル１０の軸と、糸保持部材用の座（例えば溝６）によって定められる平面との間の角度は、約１５度未満であり且つ約７度より大きい。好ましくは、一方の又は他方の本体端部８において、本体チャネル１０の軸線と、糸保持部材用の座（例えば溝６）によって定められる平面との間の角度は、約２９度未満であり且つ約２７度より大きい。特定の実施形態では、両側の本体端部８において、本体チャネル１０の軸線と、糸保持部材用の座（例えば溝６）によって定められる平面との間の角度は、両方向に同じ又は実質的に同じである。変形の実施形態では、両側の本体端部８において、本体チャネル１０の軸線と、糸保持部材用の座（例えば溝６）によって定められる平面との間の角度は両方向に異なる。特定の実施形態では、第１及び第２の本体端面の開口８から糸保持部材用の座（例えば溝６）の距離は、両方向に同じ又は実質的に同じである。変形の実施形態では、第１及び第２の本体端面の開口８から糸保持部材用の座（例えば溝６）の、距離は、両方向に異なる。好ましくは、本体チャネル１０の軸線と、糸保持部材用の座（例えば、溝６ｃ、チャネル、隆起部など）によって定められる平面との交点は、本体チャネルの中心に対応する位置にある。
【００２２】
好ましさが小さい変形の実施形態（図１２Ａと１２Ｂ参照）では、本体チャネル１０の軸線は、糸保持部材用の座（例えば外面の溝６又は隆起部７など）によって定められる平面と交差しない。特定の実施形態では、弾性のある環状の糸保持部材４は少なくともある程度外面１４を越えて突出する。
【００２３】
弾力性の糸保持部材４が溝６又はチャネルに受入れられる実施形態では、糸保持部材４は、その半径方向の幅の約２分の１を超えない距離まで溝６に受入れられ、その少なくとも約半分が外面１４を越えて突出する。しかし、本発明の側面によれば、糸保持部材４が溝６の中に受入れられる程度は、糸保持部材４が十分に且つ元に戻せるように（外れるように）保持されれば、変化してもよい。好適な実施形態では、糸保持部材用の座の深さは、約０．０２５ｃｍ〜約０．１２７ｃｍ（例えば０．０１〜約０．０５インチ）、約０．０３８ｃｍ〜約０．１０ｃｍ（例えば０．０１５〜約０．０４インチ）、又は、約０．０５ｃｍ〜約０．０７６ｃｍ（例えば０．０２〜約０．０３インチ）の範囲にある。好ましくは、糸保持部材用の座の深さは、約０．０４３ｃｍ〜約０．０８６ｃｍ（例えば０．０１７〜約０．０３４インチ）の範囲にある。
【００２４】
特に好適な実施形態では（図１３Ａ〜Ｅならびに図１４参照）、糸保持部材用の座（例えば溝、チャネル、隆起部など）の深さは、本体端部又はその近くにおいて、本体側面（中心側の領域）又はその近くよりも大きい。好ましくは、そのような実施形態では、糸保持部材用の座の深さは、本体端部又はその近くで比較的大きく、本体側面（本体チャネルの中心又はその近くの位置に対応する中心側の領域）又はその近くにおける比較的浅い深さまでテーパする。特に好適な実施形態では、本体端部又はその付近における糸保持部材用の座の深さは、本体側面（中心側領域）又はその近くの比較的浅い深さまでテーパし、本体端部又はその近くにおける深さは、本体側面（中心側領域）又はその近くにおける座の深さの２倍又は約２倍である。例えば、特定の実施形態では、本体端部又はその近くにおける糸保持部材用の座の深さは約０．０８６ｃｍ（例えば約０．０３４インチ）であり、本体側面（中心側の領域）又はその近くにおける約０．０４３ｃｍ（例えば約０．０１７インチ）の深さまでテーパする。理論に束縛されることなしに考えられることは、十分な糸の張力が作用するとき、糸保持部材は、最初、本体の端部又はその近くで糸保持部材用の座から外れ、テーパする深さを有する糸保持部材用の座によって、糸保持部材が糸保持部材用の座の本体側面部から外れることが有利に伝わり又は促進され、糸保持部材が効率よく完全にはずれることである。そのような糸保持部材用の座の深さのテーパは、例えば、連続的なテーパであってもよいし、非連続的なテーパであってもよいし、段のあるテーパであってもよいし、それらの組み合わせなどであってもよく、糸保持部材用の座の深さを本体端部から本体中心部に向かって効果的に減少させる方法は、利点を有している。隆起部等、即ち、糸保持部材用の座の高さ（例えば、隆起）を有する実施形態では、糸保持部材用の座の高さを本体端部から本体中心部に向かって有効に減少させることは、利点を有している。好ましくは、そのような実施形態では、糸保持部材用の座と相補的な糸保持部材の断面の深さ（例えば、隆起した糸保持部材用の座に適合するように相補的な糸保持部材の溝の深さ）は、糸保持部材用の座のテーパした高さ（例えば隆起）に合わせてテーパする。
【００２５】
特定の実施形態では、本体端部又はその近くにおける糸保持部材用の座の深さ（又は、例えば隆起した実施形態における高さ）は、糸保持部材を含む材料の厚さ又は直径の約２分の１であり、本体側面（中心側の領域）又はその近くにおける糸保持部材を含む材料の厚さ又は直径の約４分の１の深さ（又は、例えば隆起した実施形態における高さ）までテーパする。
【００２６】
弾力性の糸保持部材４が隆起部７上に受入れられる実施形態では（例えば図１０Ａ、１０Ｂ、１１Ａと１１Ｂ）、糸保持部材４は、好ましくは、弾力性の糸保持部材４の半径方向の幅の約２分の１を超えない距離まで隆起部７の上に受入れられ、少なくとも糸保持部材４の約半分が隆起部７の先端を越えて突出する。しかし、本発明の側面によれば、保持部材が隆起部７の上に十分に且つ元に戻せるように（外れるように）保持される限り、糸保持部材４が隆起部７の上に受入れられる程度は変化してもよい。図１０Ｂと１１Ｂは、例示の糸保持部材４の破断した断面図を示し、隆起した座の、即ち、隆起部の実施形態における糸保持部材の内面が、それぞれの例示の糸保持部材用の座（例えば、それぞれ丸みを帯びた、また逆Ｖ字形の隆起）に一致する相補的な断面を有することを図示する。特定の実施形態では、弾力性の糸保持部材４は弾性であり、即ち、伸縮自在であり、溝６に伸縮自在に受入れられ且つ保持される大きさと寸法を有している。好適な実施形態では、糸保持部材４は環状（例えばＯリングの形態で）又はそれと同等のゴム製リング、又は他の弾性材料（例えばプラスチックなど）の弾力性リングである。特定の実施形態では、糸保持部材用の座（例えば溝６又は隆起７）は、外面１４の周囲に連続している。変形実施形態では、糸保持部材用の座（例えば外面の溝６、又は隆起７）は、複数の非連続的な座の要素（例えば、繰り返される有限の溝又は隆起要素又は部分）で形成され、かかる座の要素は、弾力性の糸保持部材４を受入れ且つ保持するのに十分な非連続的な座のパターンを形成するように外面１４の周囲に適切に配置されている。好適な実施形態では（例えば、図１、２、４、５Ａ、５Ｂ、１０Ａ、１１Ａ、１２Ａと１２Ｂ）、本体１６は、一般的には卵形又は楕円であり、糸保持部材用の座は、一般的に楕円形又は環状の溝６である。しかし、本発明の変形の側面によれば、本体１６は、様々な形（例えば、図６Ａ〜６Ｇ）と寸法をとってもよい。本発明の設計では、どのような大きさの本体１６も基本的に可能であり、糸保持部材４とそれに対応する糸保持部材用の座（例えば６又は７）は、インジケーター本体１６の所望の大きさ、形、又はデザインに応じて、様々な大きさ、幅、深さなどをとり得る。どのような大きさの本体を作成してもよいが、特定の釣り状況のための好適な側面では、本体１６の全長又は直径は、適用の種類に応じて、約０．６ｃｍ〜約７．６ｃｍ（例えば１／４〜約３インチ）、約１．３ｃｍ〜約５．１ｃｍ（例えば１／２〜約２インチ）、約０．９ｃｍ〜約３．７５ｃｍ（例えば７／８〜約１．５インチ）、又は約２．８ｃｍ〜約０．６４ｃｍ（例えば９／８〜約１．２５インチ）である。好適な側面では、本体の長さは約２．７ｃｍ（例えば約１  １／１６インチ）、２．２２ｃｍ（例えば、約７／８インチ）、約１．７４ｃｍ（例えば約１１／１６インチ）、及び１．２７ｃｍ（例えば約０．５インチ）であり、それぞれの本体の幅は約１．８６ｃｍ（例えば約０．７３４インチ）、１．５５ｃｍ（例えば約０．６１インチ）、約１．２５ｃｍ（例えば約０．４９インチ）、及び０．９９ｃｍ（例えば約０．３９インチ）である。
【００２７】
好ましくは、また全ての実施形態に関して好ましくは、本体部分１６は浮力があり、また、いかなる適切な材料及び／又は形状であってもよいけれども、本体部分の外面、特に、糸保持部材用の座の面に隣接した外面の部分（例えば、糸保持部材用の座の縁又は段部で）は、好ましくは、十分に剛性であり（例えば、十分に非変形性であり又は非圧縮性であり）、それにより、魚信に応じて外れる間、保持部材４が外れる際に魚の食いによって引張られている糸２に対する糸保持部材用の座の縁の方向と位置によって付与されるてこの作用の「モーメントアーム」が、糸保持部材用の座の縁の圧縮、又は変形によって失われたり、減少したり、又は、低下しない。
【００２８】
特定の側面では、糸保持部材４は、好適な本体１６の寸法の範囲（例えば直径で約０．６ｃｍ〜約７．６ｃｍ（例えば、約１／４〜約３インチ）など）の糸保持部材用の座（例えば６又は７）の中又はその上に一致するように受入れられ且つ保持される寸法である。糸保持部材用の座（例えば、６又は７）のデザイン及び寸法決めは、本体１６及び糸保持部材４の寸法及び形状を反映し、操作時に保持部材４を元に戻せるように（外れるように）受入れ且つ保持するように、保持部材４と十分に一致させる。そのような糸保持部材用の座（例えば、６又は７）は、本体１６の溝６、チャネル又はスロットなどであってもよいし、本体表面１４から突出する盛り上がった表面又は隆起部７であってもよく、好ましくは本体１６及び糸保持部材４においてデザイン及び寸法決めが一致する。糸保持部材４の好適な幅（例えば断面の）は、糸保持部材用の座の幅と一致する。好適な側面では、保持部材の断面の幅は、約０．０８ｃｍ〜約０．６４ｃｍ（例えば、約１／３２〜約１／４インチ）などの範囲にある。特定の側面では、保持部材は、弾性があり、伸縮性があり、弾力性のある材料からなってもよいし、それらを有していてもよい。そのような弾力性の保持部材の寸法及び／又は成分及び／又は弾性パラメーターは、異なる種類の釣りや釣りの状況に適切な糸保持強度を有するように選択される。市販の「Ｏ−リング」は、好ましい種類の弾力性のある環状の保持部材４である。しかしながら、様々な弾力性のある材料（例えばゴム座金、輪ゴム、ゴムバンドなど）を使用してもよく、糸保持部材用の座との操作上の関連において、糸２を糸保持部材の下に元に戻せるように（外れるように）保持するために着座させたり外したりすることができる任意の材料又は任意の構造（弾力性のある又はない）を使用してもよい。好ましくは、糸保持部材の糸接触面は、糸を十分に把持する材料（例えば、ゴム、軟質プラスチックなど）であり、本体が糸の上に係合している間、糸の滑りを防止する。保持部材４は、糸保持部材用の座（例えば、６又は７）の中に又はその上に元に戻せるように受入れられ且つ保持される限り、様々な断面幅と形状を有していてもよい（例えば、円形、卵形、八角形、四角形、長方形、三角形など）。好ましくは、本体が糸の上に係合している時に、糸保持部材用の座において十分な糸の保持を行うために、保持部材４の形状は、糸保持部材用の座（例えば、６又は７）の形状と十分に一致する。
【００２９】
特定の実施形態では、「魚信により外れない」魚信インジケーター（すなわち、魚の食いつきや魚の「針へのかかり」により保持部材４とインジケーター２８とを分離させないように、糸が保持部材とそれ用の座との間に十分にしっかりと保持されているインジケーダ）を効果的に提供するために、糸保持部材４は、それが糸保持部材用の座（例えば、６又は７）の中又はその上に係合しているときに十分な保持力を有する（座から外れることに対して十分な抵抗を有する）ように選択される。更に、そのような「固定された」糸の位置の実施形態は、特定の種類の釣り（魚信により外れ且つ／又は摺動自在になるインジケーターを必要としないが場合）に非常に有用であるが、本発明による糸保持手段のおかげで、新規でありかつ驚くほど効果的であり、インジケーターを糸に沿って調整することを容易にし、且つ、インジケーターを再利用できるようにする。
【００３０】
追加的な側面では、魚信インジケーター２８は、本体チャネル１０を貫通する釣り糸２を更に含み、糸は、本体１６にその外面の糸保持部材用の座（例えば溝６又は隆起７）及び糸保持部材４によって糸２に沿う２箇所で元に戻せるように取付けられ、魚信インジケーター２８は、糸２に十分な糸の張力（２つの取付け箇所にわたって）が付与されたときに糸２から外れることが可能であり、その後、糸２に沿って摺動可能である（例えば、自由に摺動できる）。従って、特定の実施形態では、魚信インジケーター２８は、本体チャネル１０を貫通する釣り糸２を更に有し、釣り糸２は、２つの両側の端部の開口８に現れた後、そこから、例えば保持部材４と糸保持部材用の座の間を反対方向に延び（例えば、保持部材４と外面の溝６との間を延び、又は保持部材４と外面の隆起部７との間を延び）、それにより、魚信インジケーター２８は、糸２に沿う２箇所で元に戻せるように取付けられる。それにより、魚信インジケーター２８は、糸２に十分な張力が働いたときに（保持部材４を糸保持部材用の座から外すために）糸２から外れることが可能であり、その後、糸２に沿って摺動可能である（例えば、図５Ａと５Ｂ参照）。
【００３１】
図２は、図１の例示の外れ可能な魚信インジケーターの実施形態２８を示し、弾力性の環状の糸保持部材４は外面の溝６の中に着座し、糸保持部材４と溝６との間を通る例示の釣り糸２を、溝６内の２箇所（例えばこの実施形態では、それぞれのチャネル端開口８の近くのオフセットされた位置）に保持する。特定の実施形態では、糸に十分な張力が作用したとき、弾力性の糸保持部材４は、本体１６の釣り竿に近い方の側（例えば、長いほう）（例えば、図１、５Ｂ、１０Ａ、１１Ａに示されるような卵形本体１６の長い方の側面の側）の糸の上に優先的に移動させられ、これは、糸保持部材が糸２から外れた後、魚信インジケーター２８の釣り竿に近い方の（釣り針から遠い方の）側で糸保持部材４を保持することを促進する。変形例として、弾力性の糸保持部材４は、本体１６の小さい方の又は反対の側面の側に移動させられてもよい。特定の側面によれば、インジケーターの本体１６の形状、及び、それへの糸保持部材用の座の配置（例えば、６又は７）を、糸保持部材が外れるときに糸保持部材をインジケーター本体の一方の側又は他方の側に移動させることを容易にするように選択される（例えば、図１、５Ｂ、１０Ａ、１１Ａと６Ｂ参照）。いずれの場合でも、糸保持部材４は、糸２の周囲に保持され、かくして、再利用のために操作時に回収できる。
【００３２】
他の側面では、糸保持部材は、それが外れるときにインジケーター本体の一方の側又は他方の側に外れるように予め配置されるように、構成され又は捩れ負荷を有する。好適な実施形態では（例えば、特に環状の弾性の保持部材では）、糸保持部材を用いてインジケーター本体部分を糸に取付ける設計及び／又は方法は、（糸に十分な張力が働いたとき）糸保持部材をインジケーター本体の釣り竿に近い方の側に外すためのものである。好ましくは、また例えば図４、５Ａと５Ｂを参照すると、（図４、５Ａと５Ｂに示すように）糸保持部材４が、糸が取付けられた本体１４の釣り竿の近い方の側に外れることを確実にするために、最初、糸保持部材４（例えば、Ｏ−リング）の一部と糸２を、本体１４の糸保持部材用の座６の釣り針に近い方の領域／端部（例えば、糸保持部材用の座６の釣り針に近い方の（図４の左側の）端部の溝領域）で静止するように（例えば、指又は親指を使って圧力をかけることによって）係合させ且つ保持し、次いで、糸保持部材４の直径方向反対側の非係合部分を本体１４の外面に沿って（例えば、図４の本体１４の上方の面に沿う左から右への方向に）転がすことによって、糸保持部材４に捩れ負荷を付与し、次いで、転がした糸保持部材４の部分及び糸２を本体１４の糸保持部材用の座６の釣り針から遠い方の部分（図４の右側）に係合させて保持すると、転がし保持のおかげで、糸保持部材用の座６内の糸保持部材４は、捩れ負荷を有している。転がり即ち捩れ負荷が糸保持部材用の座の中に保持される理由は、好適な側面では、糸保持部材４が弾性であり、その引き伸ばされていない（応力のない）回転していない環状の直径がそれに対応する糸保持部材用の座６よりも十分に小さい寸法になり、その結果、糸保持部材４がそれ用の座６の中で保持されるために、応力が（そのような回転を用いて又は用いずに）付与され（引き伸ばされ）なければならず、そのため、「ひずんで」（変形して）着座した糸保持部材４になり、かかる糸保持部材は、「ひずみ」（弾性、弾力性）力のおかげで、保持部材内に着座したまま保持されるからである。好ましくは、非対称の本体１４の場合（例えば、卵形など）、インジケーター本体部分１４の小さい方の端部は、釣り針に近い方の向きに配置され（図４、５Ａと５Ｂの左方）、その結果、最初、糸保持部材４を小さいほうの本体端部で糸保持部材用の座６内に保持し、次に、本体１４の表面に沿って回転させ、大きいほう本体端部（図４、５Ａと５Ｂの右）のところで糸保持部材用の座の中に保持し、捩れ負荷を有する糸保持部材４を構成する。
【００３３】
理論によって束縛されることなしに考えられることは、そのような好適な実施形態では、最初、例えば、円形の糸保持部材４の一部分（及び糸２）を糸保持部材用の座６の釣り針に近い方の部分内で静止するように保持し、続いて、糸保持部材４の反対側の部分を本体表面に沿って本体部分１４の釣り針から遠い方の部分に向かって転がし、転がした糸保持部材４（及び糸２）を糸保持部材用の座の中に係合させ、捩れ負荷を有する糸保持部材４を構成し、この糸保持部材において考えられることは、捩れ力（転がし巻き）は、糸保持部材４の釣り竿に近い方の部分及びそれに対応する座の部分に向かって非対称に分散されることである。この非対称な捩れの分散は、（糸に十分な張力が働いたとき）糸保持部材４が、（図５Ｂに示すように）糸が取付けられた本体部分１４の釣り竿の近い方の側に外れるようにする又はそれを容易にすることである。理論に束縛されることなしに考えられることは、非対称な捩れの分散は、糸保持部材４の釣り針に近い側に対する捩り負荷を有する糸保持部材４の釣り竿に近い方の部分において糸保持部材４の弾性を低下させる（剛性又は弾性の係数を増加させる、例えばヤング率の増加）。図５Ａを参照すると、糸に十分な張力が働いたとき、糸保持部材４の比較的に弾性の釣り針に近い方の部分は、まず又はより簡単に、糸保持部材用の座から外れ、続いて、糸保持部材４の釣り竿に近い方の部分の捩れ負荷（そのような十分な力が働く間、糸保持部材用の座６の釣り針に近い方の部分よりも長い時間取付けられたままになる）が和らぐにつれて、本体１４の釣り針に近い方の部分の周囲に本体１４の釣り竿に近い方の部分に向かって積極的に引張られる。
【００３４】
従って基本的には、そのような非対称な捩れ負荷により、最初、非対称の捩れ負荷を有する糸保持部材４の比較的弾性の釣り針に近い方の部分が（糸保持部材用の座から）外れることを可能にし、その後すぐ、糸保持部材は、非対称の捩れ負荷の緩和により本体１４の釣り竿に近い方の部分に「跳ねる」。
【００３５】
変形例として、本発明のさらなる側面によれば、非対称な弾性係数又は捩れ負分布が、糸保持部材それ自体の構成（例えば材料、方法）及び／又は設計（例えば、弾性係数を非対照に増加させるため、転がり又はそれと同様のものの必要性を取り除くため）に形成されてもよい。しかし、転がって捩れ負荷を有する実施形態が好ましく、その理由は、この実施形態が、複雑な保持部材の設計及び／又は材料を必要とせずに非対称な捩れ負荷を提供すると共に、糸保持部材のそれ用の座からの効率的なコントロールされた魚信に作動する外れを提供するからである。
【００３６】
図１３Ａ〜Ｅは、対応する第１及び第２の本体端面の開口８とともに外面１４、第１及び第２の本体端部、その間の軸線方向チャネル１０を持ち、チャネル１０はその間の釣り糸２（図示せず）の摺動可能な進行に対応するのに十分な、浮力のある卵形本体部分１６を含む、釣り糸用の外れ可能な魚信インジケーター２８の特に好適な実施形態を示す。本体１６（例えば、その表面）は糸保持部材用の座６（例えば溝、チャネル、隆起部など）を追加的に含み、この実施形態では、これは外面１４内と周囲に側面と底面を持つ環状の溝６であり、この実施形態では、溝６によって定められる平面は、第１及び第２の端面の開口８が溝６（又はこれにより定められる平面の）の対向する側面に配置されるように、チャネル１０の軸と交差する。この例示の実施形態では、本体チャネル１０の軸は、環状の糸保持部材用の座（例えば外面の溝６）によって定められる平面と、約２８度の鋭角で交差する（図１３Ｄ）。更に、この例示の実施形態では、本体チャネルの軸と環状の糸保持部材用の座によって定められる平面との交点の好ましい点は、本体チャネルの中心に対応する位置にある（図１３Ｄ）。図１３Ｂは、本体の全長（「Ａ」）、幅（「Ｂ」）、軸線方向チャネルの内側内径（「Ｃ」）、軸線方向チャネル外側内径（皿孔）（「Ｄ」）、皿孔深さ（「Ｅ」）、ならびに保持座の半径（「Ｒ４」）の、例示の寸法の変数を示す（下記の表１参照）。図１３Ｄは、本体表面部分の例示の半径値を更に示す（「Ｒ１」、「Ｒ２」、「Ｒ３」）。「Ａ」、「Ｂ」、「Ｃ」、「Ｄ」、「Ｅ」、「Ｒ１」、「Ｒ２」、「Ｒ３」、「Ｒ４」の例示の値を下記の表１に示す。
【００３７】
【表１】
2008546418.tif 000003
【００３８】
〔オフセット軸線方向チャネル実施形態〕
好ましくは、本体部分１６のチャネル１０の軸線は本体部分１６の真の中心軸（例：図１参照）と一致している。しかしながら、別の方法では、本体部分１６のチャネル１０の軸はオフセット（例：チャネルの片方の端又は両端）及び／又は本体部分１６の真の中心軸に対して異なった角度である。例えば、図１５Ａ及び１５Ｂは、釣り糸のための外すことが可能魚信インジケーター２８の変形例の「オフセット」孔の実施形態を示している。図１５Ａ及び１５Ｂの実施形態において、本体部分１６のチャネル１０の軸線は、卵形本体部分１６の小側面端部における真の中心軸線からオフセットされ、また本体部分１６の真の中心軸線に対して異なった角度でもある。実際のチャネル孔が理論上の真の本体中心軸線（図１５Ｂ内の十字線）からのオフセットされている実施形態において、例えばこの実施形態では、糸保持部材４の魚信媒介取外し中に、卵形の小端部（大端部ではない）で、糸保持部材４が理論上の真の中心軸線（図内の十字線）に到達した点以降も、魚信による糸の張力が小端部において糸保持部材４に適用されつづける。理論に束縛されずに述べると、特にこの各所で説明されているように特に糸保持部材４の非対称ねじり荷重と組み合わせて使用する際に、このオフセット機能は、本体部分１６の竿に近い側への糸保持部材４の一貫性がある再現可能な魚信作動による取外しを容易にする。
【００３９】
〔外れ可能な魚信インジケーターシステム〕
図３、４、５Ａ、５Ｂ、７、１２Ａ、１２Ｂを参照して、追加側面は釣り糸２及び／又は鉤素もしくはティペットのための外れ可能な魚信インジケーターシステムを提供し、上記に説明されている新規の外れ可能な魚信インジケーターの要素及び変化に加えて、ユーザーにより選択可能な釣り糸２及び／又は鉤素もしくはティペットの固定位置に取付け可能な（例：圧着、粘着、弾性張力など）少なくとも１つの糸停止部材１８を有し、前記糸停止部材１８は、外面、第１及び第２停止部材端部、及びその間の軸の停止部材チャネルを有し、その中に第１及び第２停止部材横断面開口を備え、前記糸停止部材１８は本体１６の軸線方向チャネル１０に受けることができ、前記糸停止部材１８の形状の側面及び／又は寸法（例：フランジもしくは拡大又は拡張側面など）は、本体チャネル１０へ入るときに糸停止部材１８を取付けるよう機能し、それによって停止部材１８を取付けているユーザーにより選択された固定位置をこえて外すことが可能魚信インジケーターが運動するのを十分に防ぐことができる。そのような停止部材１８はいかなる適切な材料（例：金属、プラスチック、弾性材料など）ともなり、糸回収によって、釣り竿の糸ガイドを通じて、容易に通ることができるように寸法的に設定されている。好ましくは、糸２から魚信インジケーター２８を取外す際のインジケーター本体チャネル１０の分離を促進する為、及び糸回収がユーザーにより選択された停止部材１８取付けの位置を越えた際に、糸ガイドを通した自由な通路を促進する為、停止部材１８の外面はノングリップである方がいい。この実施形態において（例：図４）、独創的な魚信インジケーター２８は、停止部材１８に取付けるポイントにおいて糸２に付けた状態で示されており、ユーザーにより選択された位置において糸２につけられている。特定の実施形態では、停止部材１８端部間の幅は、本体８端部の幅の半分以下である。追加の好適な実施形態において、外すことが可能魚信インジケーターシステムは、本体１６の反対側において受け取り可能な２つの糸停止部材１８によって構成される。従って、追加実施形態は外すことが可能魚信インジケーターシステム（少なくとも１つの停止部材１８を有している）を提供し、更に本体チャネル１０を通って伸び、外部保持部材座（例：溝６）及び保持部材４を使用して、糸２に沿った２つのポイントにおいて本体に元に戻せるように取付けられた釣り糸２を備え、魚信インジケーターは、糸２に対する十分な張力の適用の際に、糸２から外すことが可能であり、その後、少なくとも１つの糸停止部材１８の取付け位置から、もしくは取付け位置へと摺動可能となる。従って、特定の実施形態では、前記魚信インジケーター２８は、本体チャネル１０を通って伸び、２つの相対する本体チャネル開口端部８において出現し、そこから反対方向へ向かって外部座（例：溝６）内の保持部材４の下を通過する釣り糸２を備え、魚信インジケーターはそれによって糸２に沿った２つのポイントにおいて元に戻せるように取付けられ、糸２に対する十分な張力の応用の際に、糸２から外すことが可能であり、従って、少なくとも１つの糸停止部材１８のユーザーにより選択された取付け位置から、もしくは取付け位置へと摺動可能となる。
【００４０】
図３Ａ、３Ｂ、３Ｃは、ユーザーが選択可能な位置において釣り糸２に取付け可能な３つの例示の糸停止部材１８の側面図を示している。独創的な糸停止部材１８は外れ可能な魚信インジケーターシステムを提供するために、独創的な外すことが可能魚信インジケーター（図内に点線１４で部分的に図示あり）の本体の軸線方向チャネル１０に受けることができ、糸停止部材１８の形状及び／又は寸法は、独創的な魚信インジケーターの本体チャネル１０の中に糸停止部材１８を取付ける働きをし、釣り糸２とともに取外された魚信インジケーターの摺動可能な移動を制限する。停止部材の取付け側面は、例えば軸線方向チャネル１０（図３Ａ−３Ｃ参照）の合致する停止部材受け取り表面に取付けるその拡大した部分（例：フランジ、隆起など）に対応することができる。前記糸停止部材は、糸２に固定することができるいずれの材料にもなり得る（例：糸２及び／又は鉤素もしくはティペットにおける固定位置で保持されるために、圧縮、固定又は圧着され得る可塑性材料、特有の寸法特性及び弾力性の手段により付着する弾性部材、など）。取付けられた停止部材が、停止部材取付け位置を越えて取外された魚信インジケーターの摺動可能な移動を効果的に防ぐ働きをするために、糸停止部材の前記糸への取付けは、停止部材が前記糸に固定又は効果的に固定されて取付けられ、摺動不可能な（又は少なくとも実質上摺動不可能な）方法である限り、可塑性材料（例：金属、プラスチックなど）から成る停止部材の圧着、圧着可能な停止部材の固定、停止部材の前記糸への接着、特有の弾性手段による取付け、などを含むがこれらに限定されないいずれの適切な手段でもよい。停止部材は、例えば、その内部表面上に糸の摩耗を防ぐ又は最小限にする材料もしくは構成、乃至は、糸のグリップを高める材料もしくは構成から成っていてもよい。摺動可能な運動を実質的に防ぐために、操作上の釣りの種類及び性質による実用的な条件において、ある意味では十分に糸に取付けられているそれらの停止部材が本発明の範囲内に取囲まれているが、それでもなお、再配置が望ましい場合（例：例えば密接適合弾性部材）は、十分な力をかけて、糸とともに再配置をする。糸ガイドを通した移動を妨げないために、できれば、停止部材は可塑性金属であり、ノングリッピング外面であることが好ましい。
【００４１】
図４は、その中に取付けられた糸停止部材１８を有する例示の外すことが可能魚信インジケーターシステム実施形態の側面図を示しており、それによって作動中に、前記魚信インジケーターが糸及び／又は鉤素もしくはティペットの、ユーザーにより選択された位置で取付けられる。
【００４２】
図５Ａ及び５Ｂは、そのなかに取付けられた糸停止部材１８を有する例示の外すことが可能魚信インジケーターシステム実施形態の側面図を示しており、更に（図５Ａから５Ｂへ移動して）前記溝付きくぎ糸保持部材４が、十分な糸張力の適用の際に、どのようにして本体１６の保持部材座（例：外部溝６）から移動可能であるのかを示しており、その張力は、続いて魚信インジケーターを取外し、その後、糸２とともに前記取外された魚信インジケーターの摺動を可能にする。一般的に、そのような実施形態において、保持部材は本体（例：卵型）のより大きい側面側に置き換えられるが、もう１つの方法として、魚信インジケーターの反対側に置き換えられることもある。特定の側面によると、取外しの際の、インジケーター本体１６の形状及びそこへの保持部材座（例：６又は７）の配置は、インジケーター本体の一面もしくは別の面に対する糸保持部材への移動を促進する為に選択することができる（例：図１、４、５Ｂ、１０Ａ、１１Ａ、６Ｂ参照）。いずれの場合にも、前記糸保持部材４は糸２の周辺に保持され、従って新規の取外し魚信インジケーターシステムにおける再使用のために、操作上、回収が可能である。
【００４３】
従って、実質上、現在の魚信インジケーター及びシステムを利用した新規の性質、設計及び方法により、糸表面の取付け面に著しい摩耗、劣化、変形がなく、調節可能で一貫性のある（例：繰り返して同一に外すことが可能、又は実質的に同様の糸張力価値）、制御され、再生可能な取外し及び再使用が可能となる。更に、前記独創的な魚信インジケーター及びシステムは、糸保持部材４の構造、寸法及び性質（例：サイズ、弾性強度（すなわち、引張弾性係数）など）、前記糸保持部材用の座の構造及び寸法、及び、これらの特徴間、及び、魚信インジケーターのほかの特徴とに関する、相対的な性質に従って、多様な糸張力価値で取外すよう選択されていてもよい。（例：軸線方向チャネル１０に対する相対配向；特定の立体配座の側面に関する位置決め（例：本体１６の非対称側面形状；例：図６Ｂを参照）など）。
【００４４】
特定の実施形態では、前記外れ可能な魚信インジケーターシステムは、第１及び第２糸停止部材１８、更に本体チャネル１０及びその中に取付けられた第１停止部材１８のチャネルを通って伸びている釣り糸２（もしくは鉤素及び／又はティペット）によって構成されており、前記糸２は前記糸保持部材用の座（例：外部溝６、隆起部７など）及び保持部材４を用いて、糸２に沿った２つのポイントにおいて本体１６に元に戻せるように取付けられ、前記魚信インジケーターは、糸２に対して十分な張力を適用して、前記糸２から外れ可能であり（例：糸に沿って２つの取付け位置を交差する張力の応力）、その後摺動可能である（例：第１停止部材の取付け位置から、最初に取付けられた魚信インジケーターの位置からのユーザー選択可能な距離の糸に沿って位置決められた第２糸停止部材１８、及び最初に取付けられた糸停止部材１８側と反対となる魚信インジケーター側の取付け及び付随位置まで）。従って、特定の実施形態では、前記魚信インジケーター２８は、第１及び第２糸停止部材１８、更に本体チャネル１０及びその中に取付けられた第１停止部材１８のチャネルを通って伸びている釣り糸２によって構成され、前記糸２は、２つの相対する本体チャネル及び端開口８にて表面に出た後、保持部材座（例：外部溝６、隆起部７など）に位置した保持部材４のもとでそこから反対方向に通っており、糸２に沿った２つのポイントにおいて本体１６に元に戻せるように取付けられ（例：抑止）、前記魚信インジケーターは、糸２に対して十分な張力を適用して（２つの糸抑止位置を横切って）、前記糸２から外れ可能であり、その後取付けられた魚信インジケーターからの距離で、糸２に沿って位置決められた第２糸停止部材１８の取付け位置及び最初に取付けられた糸停止部材の反対となる魚信インジケーター側に対して摺動可能である。
【００４５】
前記独創的な新規のシステムは、少なくとも１つの停止部材１８から構成されており、一旦そこから取外された時に、糸２上で自由に摺動可能であれば、特定の外れ可能な魚信インジケーター設計に限定される必要はない。従って、一般的な側面は、釣り糸に対して外れ可能な魚信インジケーターシステムを提供しており、釣り糸２；可逆的に付着して外れ可能であり、その後釣り糸２に沿って摺動可能な、浮力のある外れ可能な魚信インジケーター；及び釣り糸２に沿ってユーザーが選択可能な位置において付着可能で、作動中、取外された魚信インジケーターの釣り糸２に沿った摺動可能な運動を制限するのに十分である少なくとも１つの魚信インジケーター停止部材１８を備えている。特定の一般的側面は、釣り糸２に沿った様々なユーザー選択位置にて付随され、システムの作動において、釣り糸に沿って取外された摺動可能な魚信インジケーターに範囲を定めるために適した、第１及び第２付着可能魚信インジケーター停止部材１８から構成される。特定の一般的な側面において、前記外れ可能な魚信インジケーターは、最初にユーザーが選択した糸位置で付随された第１糸停止部材に取付けられた糸２に付着しており、取外しの際、前記取外した魚信インジケーターは、その後釣り糸２に沿って第１及び第２の糸停止部材１８の間の摺動が可能になる。好ましい側面において、前記魚信インジケーターは、釣り糸に対する十分な張力の適用を用いて外れ可能である（例：魚が「引っかかった」際）。従って、一般的な本発明の側面は、少なくとも１つの魚信インジケーター停止部材１８と組み合わせた外れ可能な魚信インジケーターシステムを使用した釣りの方法を提供する。
【００４６】
図４、５Ａ、５Ｂ、７を参照すると、具体的な実施形態は、釣り竿の全長Ｙより大きい深部Ｘ（例：「保留ゾーン」又は「集中フィーディングゾーン」２２に相当する）で、魚信インジケーターを使用した釣りの方法（例：基本的的に、いかなる種類の水でのいかなる種類の釣り）を提供し、操作可能な釣り竿３２との連携における釣り糸２の取得、釣り竿糸ガイドを通して伸びており、釣り竿のチップ部分から釣り針２０まで、釣り竿３２に装着された糸回収手段により回収可能な前記糸２、フック近接位置及びフック先端位置を有する前記延長された糸部分を備えている。前記方法は、延長された糸部分に対して、最初に第１及び第２魚信インジケーター停止部材１８の好ましい釣り深部Ｘに相当するフック先端糸停止位置への付着、２番目にフックからの長さＹの位置に相当し、各々釣り竿の長さＹとほぼ等しいフック近接糸停止位置への付着から構成されており、前記糸停止部材１８は、浮力のある外れ可能な魚信インジケーター２８に受けることができ、更に形状及び／又は糸停止部材１８の寸法の特徴が、浮力のある外れ可能な魚信インジケーター２８において、糸停止部材１８を取付ける働きをする。前記方法は、更に２つの糸停止部材１８の間で、第１フック先端停止部材１８との係合によって、浮力のある外れ可能な釣り糸魚信インジケーター２８の前記糸２に対する付着を含み、前記、浮力のある外れ可能な釣り糸魚信インジケーター２８は、第１及び第２停止部材１８の間で釣り糸２に元に戻せるように（外れ可能に）取付けられ、釣り糸２から外れ可能であり、その後釣り糸２に沿って摺動可能であり、十分な糸張力の適用により外れ可能である。前記方法は、更に魚にフックを付けること（例：魚の「取付け」）による魚信インジケーター２８の取外し；第２停止部材１８のものとほぼ相当する糸位置へ伸ばされた糸を回収することにより構成され、釣り竿の全長Ｙより大きい深部Ｘにおいて釣りをし、なおかつ効果的で効率的な回収ができるよう、引っかかった魚に到達することができる。
【００４７】
〔元に戻せるように外れ可能な新規糸停止部材及び左を備えるシステムと方法〕
さらなる側面は、取付け位置にて糸（釣り糸、ロープ、ひも、ケーブル、ワイヤー、コードなどを含むがこれらに限定されない）を、調節的及び可逆的に取付け、及び／又は１つ以上の位置及び／又は糸に沿った範囲の境界を定めるための新規の糸停止部材装置及び方法を提供する。前記独創的な糸停止部材は、元に戻せるように外れ可能（又は可逆的に取付け可能）であり、それによって摺動自在に糸に沿った調節及び位置決め可能となり、２つの前記糸停止部材は、ユーザーが選択可能なその間の範囲又は全長を特定するために使用されることがある。
【００４８】
さらなる側面は、魚の食いつきによって外れ可能、又は魚の食いつきによって外れ可能ではない魚信インジケーターに加えて、ユーザーにより選択された釣り糸に沿った固定位置に付着可能であり、取外された魚信インジケーターの釣り糸に沿った摺動可能な運動を限定するために、独創的な魚信インジケーター本体と係合可能な、又は魚の食いつきによって外れ可能ではない魚信インジケーター（例：効果的に固定された魚信インジケーター）を提供するために付加的にもしくは選択的に、特定の独創的な魚信インジケーター実施形態の内部係合カラーに固定して取付け可能な、少なくとも１つの「元に戻せるように外れ可能な魚信インジケーター糸停止部材」（例：この中の下記に説明される通り）から構成されている新規の外れ可能な魚信インジケーターシステムを提供する。
【００４９】
好適な実施形態において、特定の「二重用途の」独創的な魚信インジケーター本体（内部係合カラーを有する）は、魚の食いつきによって外れ可能（魚信インジケーター本体の糸保持部材座にある糸保持部材を使用し、元に戻せるように取付け可能な独創的糸停止部材を備えた内部係合カラーに固定して取付けていない）、もしくは魚の食いつきによって外れ可能ではない（糸保持部材を使用せず、むしろ、元に戻せるように取付け可能な独創的糸停止部材を備えた内部係合カラーにある固定して取付けている）魚信インジケーターとしての二重目的のために使用することができる。
【００５０】
さらなる側面は、釣りの新規の方法を提供しており、元に戻せるように外れ可能な独創的魚信インジケーター糸停止部材又は独創的魚信インジケーターシステムを備えた独創的な魚の食いつきによって外れ可能もしくは魚の食いつきによって外れ可能ではない魚信インジケーターによる釣り（例：この中の下記に説明される通り）を含んでいる。
【００５１】
図１６Ａ〜Ｅは、本発明例示の実施形態に従う、新規のスライドカラー固定糸停止部材を示している。前記糸停止部材は、細長い糸固定部材６０、及びそこを通り、糸固定部材６０に沿って摺動自在に位置決め可能な、糸を取付けるための糸固定位置にて糸固定部材６０を可逆的に支えるために適切かつ位置決めが可能で、糸を元に戻せるように取外すための糸固定位置から糸固定部材６０を元に戻せるように取外すために適切かつ位置決めが可能なカラーチャネルを有する円筒型の係合カラー７２から構成される。前記糸固定部材６０は、縦軸孔８０もしくはそこを通る摺動可能な糸の道を可能にするのに最適なチャネルから構成されている。前記糸固定部材６０は更に、一端において、その一端にそれぞれカラーストップフランジ６６を有する少なくとも１つの糸固定アーム６８一対又は部材、係合カラー７２と伴って作動し、その間に糸を固定させ、糸を取付けることができるように互いに動作可能となるように関連し、位置決めが可能な（例：少なくとも１つのヒンジ又はピボット要素６４などを用いて）前記糸固定アーム又は部材から構成される。前記糸固定部材６０は更に、反対側の一端において、カラー装着及び保持部分６２から構成されており、前記保持部分６２は、保持アームカラー停止フランジ７６を各自有し、互いに離れて配置される（例：弾性）カラー装着及び保持アーム７４を備えている。特定の実施形態では、前記複数のカラー装着及び保持アームは、少なくとも１つのスロット７８によって間隔があけられ、又は隔てられており、前記スロットは、（保持アームカラー停止フランジにより）糸固定部材６０上の係合カラー７２の初期装着及び保持を可能にするカラー装着及び保持アームの間の距離を（例：互いにアームを圧縮することにより）可逆的に減少させるのに適している。糸固定アーム６８一対及び前記カラー装着及び保持部分６２の間に位置しているものは、係合カラー位置決め部分２０である。前記係合カラー位置決め部分２０は、係合カラー７２を糸固定部材６０に位置決めするための手段から構成されている。一側面において、前記係合カラー位置決め部分２０は、その間に糸を固定できるように糸固定アーム６８又は部材と関連して作動することができる位置（例：糸取付け位置）で、糸固定部材６０上に係合カラー７２を位置決めすることによって糸の取付けを可能にする。別の側面において、前記係合カラー位置決め部分２０は、糸固定アーム６８と関連して作動することを防ぐ位置（例：糸取外し位置）で、糸固定部材６０上に係合カラー７２を位置決めすることによって糸の取外しを可能にする。示された例示の実施形態において、前記係合カラー位置決め部分２０は、圧縮されていない状態で、係合カラーチャネルの直径よりも大きい外径を有する弾性圧縮隆起から構成されており、それにより、糸取付け位置及び糸取外し位置の間に前記カラーを再位置決めするためには、（たとえば、係合カラーによる十分な横力を適用することで）係合カラー位置決め部分２０が圧縮されねばならなくなる。
【００５２】
図１７Ａ〜Ｄは、本発明の例示のもう１つの実施形態に従う、ねじカラー固定糸停止部材を示している。前記糸停止部材は、細長い糸固定部材７０、及びそこを通り、糸固定部材７０に沿って位置決め可能で、糸を取付けるための糸固定位置にて糸固定部材７０を可逆的に支えるために適切かつ位置決めが可能であり、可逆的に糸を取外すための糸固定位置から糸固定部材７０を可逆的に取外すために適切かつ位置決めが可能なカラーチャネルを有する円筒型の係合カラー７２から構成される。前記糸固定部材７０は、そこを通る摺動可能な糸の道を可能にするのに適した縦軸孔７８もしくはチャネルから構成される。前記糸固定部材７０は更に、一端において、その一端にそれぞれカラーストップフランジ６６を有する少なくとも一対の糸固定アーム６８又は部材を含み、前記糸固定アーム６８又は部材は、係合カラー７２を伴って作動し、その間に糸を固定させ、糸を取付けることができるよう互いに動作可能となるように関連し（例：少なくとも１つのヒンジ又はピボット要素６４などを用いて）位置決めが可能である。
【００５３】
前記糸固定部材７０は更に、反対側の一端において、カラー装着及び保持部分６２から構成されており、前記カラー装着及び保持部分６２は、保持アームカラー停止フランジ７６を各自有し、互いに離れて配置される（例：弾性）複数のカラー装着及び保持アーム７４を備えている。特定の実施形態では、前記複数のカラー装着及び保持アームは、少なくとも１つのスロット７８によって間隔があけられ、又は隔てられており、前記スロットは、（保持アームカラー停止フランジにより）糸固定部材７０上の係合カラー７２の初期装着及び保持を可能にするカラー装着及び保持アームの間の距離を（例：互いにアームを圧縮することにより）可逆的に減少させるのに適している。糸固定アーム６８一対及び前記カラー装着及び保持部分６２の間に位置しているものは、係合カラー位置決め部分２０である。前記係合カラー位置決め部分２０は、係合カラー７２を糸固定部材７０に位置決めするための手段から構成されている。一側面において、前記係合カラー位置決め部分２０は、その間に糸を固定できるように糸固定アーム６８又は部材と関連して作動することができる位置（例：糸取付け位置）で、糸固定部材７０上に係合カラー７２を位置決めすることによって糸の取付けを可能にする。別の側面において、前記係合カラー位置決め部分２０は、糸固定アーム６８と関連して作動することを防ぐ位置（例：糸取外し位置）で、糸固定部材７０上に係合カラー７２を位置決めすることによって糸の取外しを可能にする。示された例示の実施形態において、前記係合カラー位置決め部分２０は、前記糸取付け位置及び前記糸取外し位置の間に係合カラーをねじで取付けることによって、前記係合カラー位置決め部分２０が取付けられるように、係合カラーチャネルの中に配置された位置する取付け手段と相補的な関係にある、取付け手段から構成されている。
【００５４】
好ましい本発明の側面に従い、前記独創的な糸停止部材は、魚の食いつきによって外れ可能（この中に詳細が説明されているように）もしくは以下に詳細が説明されているように魚の食いつきによって外れ可能ではない魚信インジケーターと組み合わせて、システムの一部として使用される。更に、上記に説明された、元に戻せるように外れ可能な独創的糸停止部材が、実質的に多様な糸の種類及び直径に適合するため、実質的に、すべてのサイズにて設計されているが、好ましい側面においては、前記独創的な糸停止部材は、この中で詳細を示した魚の食いつきによって外れ可能及び魚の食いつきによって外れ可能ではない魚信インジケーターの前記縦軸孔（軸線方向チャネル）の中での取付けに準拠して、寸法が設計されている。
【００５５】
〔新規な元に戻せるように外れ可能な糸停止部材及び魚の食いつきによって外れ可能ではないシステム及びそれを使用する方法〕
追加の好適な実施形態は、新規の摺動自在に調節可能な魚の食いつきによって外れ可能ではない魚信インジケーターを提供し、本体チャネル１０（例：図１８Ａ〜Ｃ及び１９Ａ〜Ｃ参照）の中に「内部取付け部材」２４（例：カラー、フランジ、バンド、リング、ノッチなど）を有する浮力のある魚信インジケーター本体部分と組み合わせた上記のような元に戻せるように外れ可能な糸停止部材実施形態を備える。ある当該好適な側面において、カラー装着及び保持部分６２の前記保持アームカラー停止フランジ７６は、特定の「二重用途」魚信インジケーター本体実施形態の本体チャネル１０の中に、選択的に内部取付け部材２４（例：カラー、フランジ、バンド、リング、ノッチなど）を取付ける。当該「二重用途」独創的な魚信インジケーター本体（内部係合カラーを有する）は、魚の食いつきによって外れ可能（魚信インジケーター本体の糸保持部材座６の中にある糸保持部材４を使用し元に戻せるように取付け可能な独創的糸停止部材を備えた内部取付け部材２４（例：カラー）に固定して取付けていない）、もしくは魚の食いつきによって外れ可能ではない（糸保持部材を使用せず、むしろ、元に戻せるように取付け可能な独創的糸停止部材のチャネル１０中に内部取付け部材２４（例：カラー）に固定して取付けている）魚信インジケーターとしての二重目的のために使用することができる。代替的には、前記元に戻せるように外れ可能な独創的糸停止部材は、当該本体が、元に戻せるように取付け可能な（元に戻せるように外れ可能な）独創的糸停止部材によって取付け可能な内部取付け部材（例：カラー）から構成されている場合、保持部材又はここで使用されている保持部材座を有しない魚信インジケーター実施形態とともに使用することができる。
【００５６】
図１８Ａ〜Ｃは、例えば、前記軸線方向チャネル１０内に内部係合カラー２４を有する二重用途魚信インジケーター本体部分と併用したねじカラー固定糸停止部材（例：図１７Ａ〜Ｄにおけるものなど）を示す。前記糸停止部材は、糸固定アーム６８又は部材を一方の端に有する細長い糸固定部材７０と、それを通るカラーチャネルを有し、かつ前記糸固定部材７０に沿って位置決め可能であり、糸を取付けるために糸固定位置において前記糸固定部材７０を元に戻せるように保持するよう適切かつ位置決め可能である円筒型の係合カラー７２と、を備える。前記糸固定部材７０は、例えば他方の端に、それぞれ保持アームカラー停止フランジ７６を有する複数の間隔を空けられた（例えば弾性のある）カラー装着及び保持アーム７４を備えるカラー装着及び保持部分６２を付加的に備える。図１８Ａ及び１８Ｂは、前記内部係合カラー２４との前記ねじカラー固定糸停止部材の取付け（例：その前記保持アームカラー停止フランジ７６のとりつけ）の前後それぞれの組み合わせを示す。図１８Ｃは、さらなる側面による、前記ねじカラー固定糸停止部材を前記内部係合カラー２４から取外すための典型的工具８２（例：その前記保持アームカラー停止フランジ７６の取外し用）を示す。この例示の実施形態において、前記内部係合カラー２４及び前記座ぐり孔２２は、前記魚信インジケーター本体内で若干非対称に構成される。
【００５７】
図１９Ａ〜Ｃは、付加的な実施形態によれば、前記軸線方向チャネル１０内に内部係合カラー２４を有する魚信インジケーターと併用した図１８Ａ−Ｃの前記ねじカラー固定糸停止部材を示す。図１９Ａ及び１９Ｂは、前記係合カラー２４との前記ねじカラー固定糸停止部材の取付けの前後それぞれ（例：その前記保持アームカラー停止フランジ７６の取付けの前後）の組み合わせを示す。図１９Ｃは、さらなる側面によれば、前記ねじカラー固定糸停止部材を前記内部係合カラー２４から取外すための典型的工具８２を示す。この例示の実施形態において、前記内部係合カラー２４及び前記座ぐり孔２２は、前記魚信インジケーター本体内で有意に非対称に構成される。
【００５８】
前記取外し工具８２は、前記内部係合カラー２４から外す（取外す）ことができるように、前記保持アーム７４及び保持アームカラー停止フランジ７６を移動又は圧迫するのに適切なあらゆる構成にすることができる。図示される前記例示の工具は、十分な圧力を使用して前記チャネル１０内の前記アームに対して前記工具を適用する際に保持アーム７４及び保持アームカラー停止フランジ７６を圧縮するために適切な角度及びサイズを有するじょうご形状を備える。前記工具は、例えば、様々な形状（例：じょうご状、円筒状、四角、卵形、長方形）、サイズ及び／又は構成（例：圧縮形状（例：じょうご状、円筒状など）、柱型アームなど）にすることが可能であり、単端型又は両端型の何れか（ここで図示されるように）にしてもよく、又はより多くの端を有してもよい。前記工具は、その各端において、同じ又は異なる工具のサイズ又は構成を有してもよい。求められることは、ただ、前記工具、又はその一部を前記保持アーム７４及び／又は保持アームカラー停止フランジ７６に対して適用して前記内部係合カラー２４からの取外しを容易にできることのみである。
【００５９】
当業者にとっては明白なように、糸停止部材（例：ここで図示されるもののうちのいずれも）はあらゆるサイズ（例：魚信インジケーター本体部分内に受入れ可能であるあらゆるサイズ）にすることができる。好ましくは、本発明の糸停止部材は、使用者による容易な取り扱い、取付け、取外し、調整などを容易にするのに十分な大きさである。また、当業者にとっては明白なように、本発明の側面によれば、１つのみの糸停止部材（例：１つのみの元に戻せるように取外す糸停止部材、又はここで説明される何れかのもの）が魚信インジケーター本体を糸に貼り付けるために必要とされる。これは使用される特定の魚信インジケーター本体にかかわらず、及び「二重用途」インジケーター本体部分の場合は、前記魚信インジケーター本体が魚の食いつきによって外れ可能な魚信インジケーターとして（つまり、前記魚信インジケーター本体の前記糸保持部材座６において糸保持部材４を使用し、前記内部取付け部材２４（例：カラー）を本発明の元に戻せるように取付け可能な糸停止部材に固定して取付けない）、又は魚の食いつきによって外れ可能ではない魚信インジケーター（つまり、糸保持部材４を使用せず、むしろ本発明の元に戻せるように取付け可能な糸停止部材の前記チャネル１０内で前記内部取付け部材２４（例：カラー）を固定して取付ける）として使用されているかどうかにかかわらず当てはまる。従って、対向する（初期位置決め糸停止部材を受入れるために使用される皿孔の反対）皿孔２２の深さ（又は存在までも）などの前記本体チャネル１０の属性、及び／又は前記チャネル１０内での前記内部取付け部材（例：カラー）の位置決めが対称でなければならないという必要条件はない。つまり、前記座ぐり孔は、複数存在する場合、様々な直径、及び／又は深さにしてもよく、又は前記チャネル１０の一方の端に単一の座ぐり孔２２のみがあってもよい。また、前記内部取付け部材２４（例：カラー、フランジ、バンド、リング、切り込みなど）の位置は、前記チャネル１０の中央位置以外でもよく、つまり、前記内部取付け部材は、例えば前記チャネル１０の一方又は他方の端の近く、又は近接して配置してもよい。好ましくは、小型本体部分の実施形態（図１９Ａ〜１９Ｃにおいて示されるものなど）において、前記内部取付け部材２４は、前記糸停止部材を受入れる端と反対の前記チャネル１０の端に、又はそれに近接して配置される。この方法で、前記糸停止部材のサイズを使用者による容易な取り扱いを容易にするために十分な大きさに保つことができる一方で、同時に微小型魚信インジケーター本体の使用を可能にする。よって、本発明のトライクインジケーター本体の好適な実施形態はチャネル１０及び一方の端に少なくとも１つの座ぐり孔２２を有する一方で、対向する座ぐり孔に対する必要条件はなく、たとえそのような対向する座ぐり孔が存在しても、そのような対向する座ぐり孔の直径及び／又は深さが反対のカウンターボアと同じでなければならないという必要条件はない。本体がその間で摺動可能である、２つの停止部材（例：棒近接糸停止部材、及びフック近接糸停止部材）を備えるここで説明される特定の「体系」実施形態において、本当に必要とされるのは、前記糸停止部材（例：前記フック近接糸停止部材）が、前記糸停止部材の糸取付け位置に関して前記本体部分の摺動可能な移動を取付け、及び／又は制限できることのみである。
【図面の簡単な説明】
【００６０】
【図１】特定の本発明の側面に従った、例示の外れ可能な魚信インジケーター実施形態の側面図であり、端から端までの軸線方向チャネル、及び溝内部の２つのポイントに従って通っていく釣り糸を保持する弾性溝付きくぎとともに、チャネルエンド孔が溝の反対側に配置されているようなチャネル軸を囲む外面の中及びその周囲の外部溝を有する。
【図２】図１の例示の外れ可能な魚信インジケーターの実施形態であり、弾性溝付きくぎ糸保持部材が２つのポイントに従って通っていく釣り糸を保持する外部溝の中に位置している。
【図３】図３Ａ〜図３Ｃは、特定の側面に従うユーザーが選択可能な位置に釣り糸を取付けることができる３つの例示の糸停止部材実施形態の側面図である。独創的な糸停止部材は、外れ可能な魚信インジケーターシステムを提供するため、独創的な外れ可能な魚信インジケーター本体の軸線方向チャネルに受けることができ、糸停止部材の形状及び／又は寸法は独創的な魚信インジケーターの本体チャネル内に糸停止部材を取付ける働きをし、釣り糸に従って取外された魚信インジケーターの摺動移動を制限する。インジケーター本体によって係合される時、前記糸停止部材は平坦であるか、埋め込まれているか、もしくは本体表面から突き出てもよい。
【図４】特定の側面に従う、糸停止部材が取付けられた例示の外れ可能な魚信インジケーターシステム実施形態の側面図であり、糸停止部材は糸に沿って遠隔距離に位置し、２つの停止部材が、ユーザーが選択可能な摺動移動の範囲を画定している。
【図５】図５Ａ及び図５Ｂは、特定の側面に従うユーザーが選択した位置にインジケーターを付けるために、その中に糸停止部材が取付けられた例示の外れ可能な魚信インジケーターシステム実施形態の側面図であり、（反対方向の矢印の一組で示される）十分な糸張力をかけることにより、溝付きくぎ糸保持部材がどのように本体の外部溝から動かされるかを示しており、それにより魚信インジケーターを取外し、その後糸に沿ってインジケーターの摺動を可能にする（例：ユーザーが選択した位置で糸につけた一組の停止部材の間）。一般的に、そのような実施形態においては、竿に近接した方向に向かって弾性保持部材は、より大きい（又はその反対で非対称な）本体の側面側に動かされる（例：卵形）。
【図６−１】図６Ａ〜図６Ｄは、特定の側面に従う７つの追加となる例示の外れ可能な魚信インジケーター実施形態の側面図であり、インジケーター本体の形状及びサイズ、及び一般的に前記の独創的なシステムは、様々な異なった形態をとることが可能であることを説明している。
【図６−２】図６Ｅ〜図６Ｇは、特定の側面に従う７つの追加となる例示の外れ可能な魚信インジケーター実施形態の側面図であり、インジケーター本体の形状及びサイズ、及び一般的に前記の独創的なシステムは、様々な異なった形態をとることが可能であることを説明している。
【図７】特定の側面に従う、釣り竿の長さ以上の深部（例：「集中フィーディングゾーン」、又は「保留ゾーン」深部）において外れ可能な及び摺動可能な魚信インジケーターを使用して釣りをするための独創的な方法を示した図解である。前記方法は独創的な外れ可能な魚信インジケーターシステムの使用を含み、一貫したユーザー選択の深部における効率的な釣りを促進するだけでなく、引っかかった魚の効率的及び効果的な捕獲を促進し、それによって同時に総合的な釣り体験を高め、捕まえた魚への傷を減らす。
【図８】図８Ａ及び図８Ｂは、従来の技術である迅速取外しができる魚信インジケーターを示している。魚が「引っかかった」状態になると、糸の張りはゴム栓とインジケーター本体の中のスロットを受け取る栓の壁に挟まれたティペットループを解放し、その後インジケーター及び栓は釣り糸に沿って自由に摺動できるようになる。このインジケーター及びその実質的な欠点は、上文の「背景」において論じられる。
【図９】従来技術である摺動可能な魚信インジケーターを示している。弾力性のある位置決め固定器具により、その位置を維持するよう鉤素に対して十分なグリップ圧力を提供しながら、鉤素に従ってインジケーターが手動及び強制的に位置を変えることが可能となる。このインジケーター及びその実質的な欠点は、上文の「背景」において論じられる。
【図１０】図１０Ａ及び図１０Ｂは、特定側面に従い、図１及び２の実施形態に類似した別の例示の実施形態を示しているが、本体中の溝の代わりに、本体表面から突き出た円形の隆起の形をした糸保持部材座を有する。前記糸保持部材は円形の隆起保持部材座と協同して適合する溝をその内部表面に有しており、２つのポイントにおいてその間を通る釣り糸を保持するための隆起座とともに作動する。
【図１１】図１１Ａ及び図１１Ｂは、特定の側面に従う、図１及び２の実施形態に類似した別の例示の実施形態を示しているが、本体中の溝の代わりに、本体表面から突き出た逆「Ｖ」字型形状糸保持部材座を有する。前記糸保持部材は逆「Ｖ」字型の隆起保持部材座と協同して適合する溝をその内部表面に有しており、２つのポイントにおいてその間を通る釣り糸を保持するための隆起座とともに作動する。
【図１２】図１２Ａ及び図１２Ｂは、追加側面に従う２つの代替となる例示の実施形態を示しており、本体の外面の周囲を巻きながら、それにより、保持部材座（例：溝又は隆起）が、第１及び第２の横断面の孔が反対側ではなく保持部材座（例：溝又は隆起）と同じ側に配置されるようにチャネル軸を囲むことがないことを除いて、図２及び４に示された実施形態と類似している。
【図１３】図１３Ａ〜図１３Ｅは、釣り糸のための外れ可能な魚信インジケーター２８の特に望ましい「テーパになる深部」保持部材座実施形態を示している。
【図１４】図１３のＡ〜Ｅに示した釣り糸のための外れ可能な魚信インジケーター２８の特に望ましい「テーパになる深部」保持部材座実施形態の別の断面図を示している。
【図１５】図１５Ａ及び図１５Ｂは、釣り糸のための外れ可能な魚信インジケーター２８の代替となる「オフセット」孔の実施形態を示している。
【図１６】図１６Ａ〜図１６Ｅは、追加の例示の本発明の実施形態に従う、糸停止部材を固定するスナップ式カラーを示している。
【図１７】図１７Ａ〜図１７Ｄは、更にもう１つの例示の本発明の実施形態に従う、糸停止部材を固定するねじカラーを示している。
【図１８】図１８Ａ〜図１８Ｃは、更にもう１つの例示の本発明の実施形態に従う、軸線方向チャネル１０の中に内部係合カラー２４を有した魚信インジケーターと組み合わさった糸停止部材を固定するねじカラーを示している。図１８Ａ及び図１８Ｂは、糸停止部材を固定するねじカラーをそれぞれ内部係合カラー２４に取付けた前及び後の組み合わせを示している。図１８Ｃは、さらなる側面に従う、内部係合カラー２４から糸停止部材を固定するねじカラーを取外す為の例示のツールを示している。この例示の実施形態において、前記内部係合カラー２４及び座ぐり孔２２は、魚信インジケーター本体の中において、非対称的に組み込まれている。
【図１９】図１９Ａ〜図１９Ｃは、追加の実施形態に従う、軸線方向チャネル１０の中に内部係合カラー２４を有した魚信インジケーターと組み合わされた糸停止部材を固定するねじカラーを示している。図１９Ａ及び図１９Ｂは、糸停止部材を固定するねじカラーをそれぞれ内部係合カラー２４に取付けた前及び後の組み合わせを示している。図１９Ｃは、さらなる側面に従う、内部係合カラー２４から糸停止部材を固定するねじカラーを取外す為の例示のツールを示している。この例示の実施形態において、前記内部係合カラー２４及び座ぐり孔２２は、魚信インジケーター本体の中において、非対称的に組み込まれている。
【図１】
2008546418.tif 000004
【図２】
2008546418.tif 000005
【図３Ａ】
2008546418.tif 000006
【図３Ｂ】
2008546418.tif 000007
【図３Ｃ】
2008546418.tif 000008
【図４】
2008546418.tif 000009
【図５Ａ】
2008546418.tif 000010
【図５Ｂ】
2008546418.tif 000011
【図６Ａ】
2008546418.tif 000012
【図６Ｂ】
2008546418.tif 000013
【図６Ｃ】
2008546418.tif 000014
【図６Ｄ】
2008546418.tif 000015
【図６Ｅ】
2008546418.tif 000016
【図６Ｆ】
2008546418.tif 000017
【図６Ｇ】
2008546418.tif 000018
【図７】
2008546418.tif 000019
【図８Ａ】
2008546418.tif 000020
【図８Ｂ】
2008546418.tif 000021
【図９】
2008546418.tif 000022
【図１０Ａ】
2008546418.tif 000023
【図１０Ｂ】
2008546418.tif 000024
【図１１Ａ】
2008546418.tif 000025
【図１１Ｂ】
2008546418.tif 000026
【図１２Ａ】
2008546418.tif 000027
【図１２Ｂ】
2008546418.tif 000028
【図１３Ａ】
2008546418.tif 000029
【図１３Ｂ】
2008546418.tif 000030
【図１３Ｃ】
2008546418.tif 000031
【図１３Ｄ】
2008546418.tif 000032
【図１３Ｅ】
2008546418.tif 000033
【図１４】
2008546418.tif 000034
【図１５Ａ】
2008546418.tif 000035
【図１５Ｂ】
2008546418.tif 000036
【図１６Ａ】
2008546418.tif 000037
【図１６Ｂ】
2008546418.tif 000038
【図１６Ｃ】
2008546418.tif 000039
【図１６Ｄ】
2008546418.tif 000040
【図１６Ｅ】
2008546418.tif 000041
【図１７Ａ】
2008546418.tif 000042
【図１７Ｂ】
2008546418.tif 000043
【図１７Ｃ】
2008546418.tif 000044
【図１７Ｄ】
2008546418.tif 000045
【図１８Ａ】
2008546418.tif 000046
【図１８Ｂ】
2008546418.tif 000047
【図１８Ｃ】
2008546418.tif 000048
【図１９Ａ】
2008546418.tif 000049
【図１９Ｂ】
2008546418.tif 000050
【図１９Ｃ】
2008546418.tif 000051